(57)【要約】  本開示は、無線通信システムにおけるカバレッジモード及び／又は通信帯域幅を動的に変更する技術に関する。いくつかの実施形態によれば、無線デバイスは、セルラネットワークと関連付けられたサービングセルへ接続することができる。セルラネットワークとの次回の通信のデータ量を判定することができる。要求された通信帯域幅のインジケーションをサービングセルに提供することができる。無線デバイスは、要求された通信帯域幅を使用して、サービングセルとデータを通信できる。一部の例では、狭帯域通信帯域幅の要求は、カバレッジ拡張モードの使用をもたらしてもよく、一方、広帯域通信帯域幅の要求は、通常カバレッジモードの使用をもたらしてもよい。
2019531013.tif 000002
【特許請求の範囲】
【請求項１】
無線デバイスに、
セルラネットワークと関連付けられたサービングセルへ接続させ、
前記セルラネットワークとの次回の通信のデータ量を判定させ、
要求された通信帯域幅のインジケーションを前記サービングセルに提供させ、
前記要求された通信帯域幅を使用して、前記サービングセルとデータを通信させるように構成されている処理要素を含む、装置。
【請求項２】
前記処理要素は、前記無線デバイスに、
前記データ量がデータ量閾値を超えているかを判定させるように更に構成されている、請求項１に記載の装置。
【請求項３】
前記要求された通信帯域幅の前記インジケーションは、前記セルラネットワークとの次回の通信の前記データ量を示すバッファステータスレポートを含む、請求項１に記載の装置。
【請求項４】
前記要求された通信帯域幅の前記インジケーションは、複数の可能な通信帯域幅モードから通信帯域幅モードを要求するメディアアクセス制御（ＭＡＣ）制御要素又は無線リソース制御（ＲＲＣ）メッセージを含む、請求項１に記載の装置。
【請求項５】
前記要求された通信帯域幅の前記インジケーションは、
広帯域通信帯域幅の要求、又は
狭帯域通信帯域幅の要求、のうちの１つを含む、請求項１に記載の装置。
【請求項６】
前記処理要素は、前記無線デバイスに、
前記要求された通信帯域幅の前記インジケーションが広帯域通信帯域幅の要求を含む場合、通常カバレッジモードで前記サービングセルとデータを通信させ、
前記要求された通信帯域幅の前記インジケーションが狭帯域通信帯域幅の要求を含む場合、カバレッジ拡張モードで前記サービングセルとデータを通信させるように更に構成されている、請求項５に記載の装置。
【請求項７】
前記処理要素は、前記無線デバイスに、
前記要求された通信帯域幅の前記インジケーションを提供することに少なくとも部分的に基づいて、狭帯域通信モード又は広帯域通信モードで動作するように前記無線デバイスのＲＦ回路を構成させるように更に構成されている、請求項１に記載の装置。
【請求項８】
セルラネットワークと関連付けられたサービングセルへ接続することと、
前記サービングセルが通常カバレッジモード及びカバレッジ拡張（ＣＥ）モードをサポートすることを判定することと、
前記無線デバイスの無線状態が前記通常カバレッジモード又は前記ＣＥモードに対応するかどうかを判定することと、
前記セルラネットワークとの次回の通信のデータ量を判定することと、
前記無線状態及び前記データ量に少なくとも部分的に基づいて、前記通常カバレッジモード又は前記ＣＥモードで動作するかどうかを判定することと、
前記サービングセルにインジケーションを提供して、前記無線デバイスに対する前記決定されたモードを有効にすることと、を含む、無線デバイスの方法。
【請求項９】
前記方法は、
前記無線デバイスの無線状態が前記通常カバレッジモードに対応し、かつ前記セルラネットワークとの次回の通信の前記データ量がデータ量閾値を超えている場合、前記通常カバレッジモードで動作するように判定することと、
前記無線デバイスの無線状態が前記ＣＥモードに対応する、又は前記セルラネットワークとの次回の通信の前記データ量が前記データ量閾値を下回る場合、前記ＣＥモードで動作するように判定することと、を更に含む、請求項８に記載の方法。
【請求項１０】
前記方法は、
前記ＣＥモードが有効である場合、狭帯域通信モードで動作するように前記無線デバイスのＲＦ回路を構成することと、
前記通常カバレッジモードが有効である場合、広帯域通信モードで動作するように前記無線デバイスのＲＦ回路を構成することと、を更に含む、請求項８に記載の方法。
【請求項１１】
前記データ量を判定することは、前記無線デバイスにて１つ以上のタイプの現在のデータアクティビティを判定することを含む、請求項８に記載の方法。
【請求項１２】
無線デバイスであって、
アンテナと、
前記アンテナと動作可能に連結された無線機と、
前記無線機に動作可能に連結された処理要素と、を備え、
前記無線デバイスは、
基地局により提供されたサービングセルにキャンプオンし、
前記サービングセルが通常カバレッジモード及びカバレッジ拡張（ＣＥ）モードをサポートすることを判定し、
前記無線デバイスの無線状態が前記通常カバレッジモードに対応することを判定し、
前記無線デバイスの無線状態が前記通常カバレッジモードに対応することを判定することに少なくとも部分的に基づいて、前記通常カバレッジモードで動作し、
前記無線デバイスの無線状態が前記ＣＥモードに対応するように変化したことを判定し、
前記無線デバイスの無線状態が前記ＣＥモードに対応するように変化したことを判定することに少なくとも部分的に基づいて、前記基地局にインジケーションを提供して、前記無線デバイスに対する前記ＣＥモードを有効にするように構成されている、無線デバイス。
【請求項１３】
前記無線デバイスは、前記無線デバイスの無線状態が前記ＣＥモードに対応するように変化したことを判定し、かつ前記基地局に前記インジケーションを提供して、前記無線デバイスがアイドルモードにある間に、前記無線デバイスに対する前記ＣＥモードを有効にするように更に構成されている、請求項１２に記載の無線デバイス。
【請求項１４】
前記無線デバイスは、前記無線デバイスの無線状態が前記ＣＥモードに対応するように変化したことを判定し、かつ前記基地局に前記インジケーションを提供して、前記無線デバイスが接続モードにある間に、前記無線デバイスに対する前記ＣＥモードを有効にするように更に構成されている、請求項１２に記載の無線デバイス。
【請求項１５】
前記基地局に前記インジケーションを提供して、前記無線デバイスに対する前記ＣＥモードを有効にするために、前記無線デバイスは、
前記ＣＥモードと関連付けられた物理的ランダムアクセスチャネルプリアンブルを使用して、ランダムアクセスチャネル手順を実行するように更に構成されている、請求項１２に記載の無線デバイス。
【請求項１６】
前記基地局に前記インジケーションを提供して、前記無線デバイスに対する前記ＣＥモードを有効にすることは、前記基地局に、前記通常カバレッジモードで動作する場合とは異なる制御チャネルを使用して、アイドルモードページングを実行させる、請求項１２に記載の無線デバイス。
【請求項１７】
前記サービングセルはセルラネットワークと関連付けられており、前記セルラネットワークはモビリティ管理エンティティを更に含み、前記無線デバイスは、
前記無線デバイスの無線状態が前記ＣＥモードに対応するように変化したことを判定することに少なくとも部分的に基づいて、前記モビリティ管理エンティティにインジケーションを提供して、前記無線デバイスに対する前記ＣＥモードを有効にするように更に構成されている、請求項１２に記載の無線デバイス。
【請求項１８】
前記無線デバイスは、
前記無線デバイスの無線状態が前記通常カバレッジモードに対応する第１の範囲内である場合、前記通常カバレッジモードと関連付けられた制御チャネルを監視し、
前記無線デバイスの無線状態が前記ＣＥモードに対応する第２の範囲内である場合、前記ＣＥモードと関連付けられた制御チャネルを監視し、
前記無線デバイスの無線状態が前記第１の範囲と前記第２の範囲との間の範囲内である場合、前記通常カバレッジモードと関連付けられた前記制御チャネル及び前記ＣＥモードと関連付けられた前記ページングチャネルの両方を監視するように更に構成されている、請求項１２に記載の無線デバイス。
【請求項１９】
前記無線デバイスは、
前記基地局にインジケーションを提供して、前記ＣＥモードと関連付けられた制御チャネルを使用して常にアイドルモードページングを実行し、
前記無線デバイスの無線状態が前記通常カバレッジモードに対応する場合、及び前記無線デバイスの無線状態が前記ＣＥモードに対応する場合の両方において、前記ＣＥモードと関連付けられた前記制御チャネルを監視するように更に構成されている、請求項１２に記載の無線デバイス。
【請求項２０】
前記無線デバイスは、
前記無線デバイスの無線状態が前記通常カバレッジモードに対応するように変化したことを判定し、
前記無線デバイスの無線状態が前記通常カバレッジモードに対応するように変化したことを判定することに少なくとも部分的に基づいて、前記基地局にインジケーションを提供して、前記無線デバイスに対する前記通常カバレッジモードを有効にするように更に構成されている、請求項１２に記載の無線デバイス。
【発明の詳細な説明】
【技術分野】
【０００１】
本出願は、無線通信システムにおけるカバレッジモード及び／又は通信帯域幅を動的に変更する技術を含む、無線通信に関する。
【背景技術】
【０００２】
無線通信システムの利用が急速に広がっている。更には、無線通信技術は、音声のみの通信から、インターネット及びマルチメディアコンテンツなどのデータの送信も含むまでに進化した。
【０００３】
モバイル電子デバイスは、一般的にユーザが持ち運ぶスマートフォン又はタブレットの形態をとることがある。ウェアラブルデバイス（アクセサリデバイスとも呼ばれる）は、モバイル電子デバイスのより新たな形態であり、１つの例がスマートウォッチである。加えて、定置又は移動性の配備を意図した低コストで複雑性の低い無線デバイスはまた、「モノのインターネット」の展開の一部として急増している。このようなデバイスの多くは、無線通信機能が比較的制限されており、典型的には、スマートフォン及びタブレットなどの大きなポータブルデバイスよりも小さいバッテリを有している。一般的に、このようなデバイスの比較的制限された無線通信機能を認識して、サポートを提供することが望ましい。それゆえ、この分野における改善が望まれる。
【発明の概要】
【０００４】
通常カバレッジモードと拡張カバレッジモードとの間を動的に変更するため、及び無線通信システム内で無線デバイスによって使用される通信帯域幅を動的に変更するための、特に、システム、装置、及び方法の実施形態が本明細書に提示される。
【０００５】
無線通信のユースケースの多種多様なセットがますます開発されるにつれて、無線通信及び一部の場合には通信モードのタイプの範囲もますます開発される。いくつかのデバイスは、このようなモードを複数利用することができる。例えば、いくつかのデバイスは、時により広い帯域幅を利用することができ（例えば、無線状態が良好なとき、ユーザアクティビティが多い及び／又は要求の厳しいとき、バッテリ残量が比較的多いとき、など）、また、時に狭い帯域幅通信を利用することができる（例えば、無線状態が不良なとき、ユーザアクティビティが少ない及び／又は要求の少ないとき、バッテリ残量が比較的少ないとき、など）。加えて又はあるいは、いくつかのデバイスは、時々通常カバレッジ機能を利用することができ（例えば、良好な無線状態でレイテンシを低くし、及び／又スループットを高くすることができる）、また、時々拡張カバレッジ機能を利用することができる（例えば、場合により、高いレイテンシ及び／又は低いスループットを犠牲にして、通常カバレッジ機能を使用して可能であり得るよりも不良な無線状態で通信を可能にすることができる）。
【０００６】
したがって、カバレッジモード間及び／又は通信帯域幅間を動的に切り換えるための技術が、本明細書に提示される。一部の例では、異なるカバレッジモードは、異なる通信帯域幅を有することができ、これにより、無線デバイスのカバレッジモードを変更することにより、無線デバイスの通信帯域幅も変更することができ、及び／又は逆もまた同様であることに留意されたい。あるいは、カバレッジモード及び通信帯域幅は、所望であれば、別々に構成することができる。
【０００７】
カバレッジモード及び／又は通信帯域幅の動的な切り替えは、様々な考察のいずれかに基づくことができる。１つの可能性として、通信帯域幅の使用量は、無線デバイスとの間の次回のデータ通信の予想量に少なくとも部分的に依存する場合がある。別の可能性として、使用されるカバレッジモードは、無線デバイスが経験している現在の無線状態の評価に少なくとも部分的に依存する場合がある。一部の例では、無線デバイスのバッテリ電力レベル及び／又は充電／非充電状態もまた、あるいは代わりに考慮され得る。
【０００８】
少なくともいくつかの実施形態によれば、このような技術により、無線デバイスは、ユーザエクスペリエンスを向上させ、無線デバイス電力消費を低減し、及び／又はネットワークリソース使用をより効率的にし得る方法で、無線状態の変化、次回の通信データ量、バッテリ残量レベルシナリオ、及び／又は他の状態に適応できるようになり得る。
【０００９】
本明細書で説明された技術は、セルラ電話、タブレットコンピュータ、アクセサリ、及び／又はウェアラブルコンピューティングデバイス、ポータブルメディアプレーヤ、セルラ基地局及び他のセルラネットワークのインフラ装置、サーバ、並びに様々な他のコンピューティングデバイスのいずれかを含むがこれらに限定されない、多数の異なる種類のデバイスに実装する及び／又はそれらと共に使用することができる。
【００１０】
この発明の概要は、この文書に記載された主題のいくつかの簡単な概要を提供することを意図している。したがって、上述の特徴は単なる例であり、本明細書に記載される主題の範囲又は趣旨を決して狭めるように解釈すべきではないことが理解されよう。本明細書に記載された主題の他の特徴、態様、及び利点は、以下の詳細な説明、図面及び特許請求の範囲から明らかとなるであろう。
【図面の簡単な説明】
【００１１】
実施形態の以下の詳細な説明について以下図面と併せて考察すると、本発明の主題をより良く理解することができる。
【００１２】
【図１】いくつかの実施形態に係る、アクセサリデバイスを含む例示的な無線通信システムを示す図。
【００１３】
【図２】いくつかの実施形態に係る、アクセサリデバイスがセルラ基地局と直接通信すること又はスマートフォンなどの中間若しくはプロキシデバイスのセルラ能力を利用することのいずれかを選択的に行うことができる例示的なシステムを示す図。
【００１４】
【図３】いくつかの実施形態に係る、例示的な無線デバイスを示すブロック図。
【００１５】
【図４】いくつかの実施形態に係る、例示的な基地局を示すブロック図。
【００１６】
【図５】いくつかの実施形態に係る、無線デバイスに対する通常カバレッジモードと拡張カバレッジモードとの間を動的に変更する例示的な方法を示すフローチャート。
【００１７】
【図６】いくつかの実施形態に係る、無線デバイスによって使用される通信帯域幅を動的に変更する例示的な方法を示すフローチャート。
【００１８】
【図７】いくつかの実施形態に係る、例示的な可能な通常及び延長カバレッジセル範囲を示す図。
【００１９】
【図８】いくつかの実施形態に係る、通信帯域幅を管理するためのデータ量に少なくとも部分的に基づいて、通常カバレッジモードと拡張カバレッジモードとの間で変更するための可能な状態遷移を有する例示的な状態図。
【００２０】
本明細書で説明される特徴は、様々な修正及び代替形態を受け入れる余地があるが、その特定の実施形態を例として図面に示し、本明細書で詳細に説明する。しかし、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正、均等物、及び代替物を包含することである点を理解されたい。
【発明を実施するための形態】
【００２１】
専門用語
以下は、本開示で使用される用語の定義である。
【００２２】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、並びにそれらの組み合わせも含んでもよい。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステムに存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００２３】
キャリア媒体−上述のような記憶媒体、並びにバス、ネットワークなどの物理的伝送媒体、及び／又は電気信号、電磁信号、若しくはデジタル信号などの信号を伝送する他の物理的伝送媒体。
【００２４】
プログラム可能ハードウェア要素−プログラム可能相互接続を介して接続された複数のプログラム可能機能ブロックを備える、様々なハードウェアデバイスを含む。例としては、ＦＰＧＡ（Field Programmable Gate Array、フィールドプログラマブルゲートアレイ）、ＰＬＤ（Programmable Logic Device、プログラム可能論理デバイス）、ＦＰＯＡ（Field Programmable Object Array、フィールドプログラマブルオブジェクトアレイ）、及びＣＰＬＤ（Complex PLD、複合ＰＬＤ）を含む。プログラム可能機能ブロックは、細かい粒度のもの（組み合わせ論理又はルックアップテーブル）から粗い粒度のもの（算術論理ユニット又はプロセッサコア）にまで及ぶことができる。プログラム可能ハードウェア要素はまた、「再構成可能論理」と称されることがある。
【００２５】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合わせ、を含むさまざまな種類のコンピューティング又は処理システムのうちの任意のもの。一般的に、用語「コンピュータシステム」は、記憶媒体からの命令を実行する少なくとも１つのプロセッサを有する任意のデバイス（又はデバイスの組み合わせ）を包含するように広義に定義することができる。
【００２６】
ユーザ装置（ＵＥ）（又は「ＵＥデバイス」）−移動式又は携帯式であり、無線通信を実行する様々な種類のコンピュータシステムデバイスのうちの任意のもの。ＵＥデバイスの例としては、携帯電話若しくはスマートフォン（例えば、ｉＰｈｏｎｅ（登録商標）、Ａｎｄｒｏｉｄ（登録商標）ベースの電話）、ポータブルゲームデバイス（例えば、Ｎｉｎｔｅｎｄｏ  ＤＳ（登録商標）、ＰｌａｙＳｔａｔｉｏｎ（登録商標）Ｐｏｒｔａｂｌｅ（商標）、Ｇａｍｅｂｏｙ（登録商標）Ａｄｖａｎｃｅ（商標）、ｉＰｈｏｎｅ（登録商標））、ラップトップ、ウェアラブルデバイス（例えば、スマートウォッチ、スマートグラス）、ＰＤＡ、ポータブルインターネットデバイス、音楽プレーヤ、データ記憶デバイス、又は他のハンドヘルドデバイスなどが挙げられる。一般に、用語「ＵＥ」又は「ＵＥデバイス」は、ユーザによって容易に持ち運ばれ、無線通信が可能なあらゆる電子、コンピューティング及び／又は電気通信デバイス（又はデバイスの組み合わせ）を包含するように広義に定義することができる。
【００２７】
無線デバイス−無線通信を実行する様々な種類のコンピュータシステムデバイスのうちの任意のもの。無線デバイスは、携帯式（若しくは移動式）とすることができる、又は特定の位置に静止若しくは固定することができる。ＵＥは、無線デバイスの一例である。
【００２８】
通信デバイス−通信を実行する様々な種類のコンピュータシステム又はデバイスのうちの任意のものであって、通信は、有線又は無線とすることができる。通信デバイスは、携帯式（若しくは移動式）とすることができる、又は特定の位置に静止若しくは固定することができる。無線デバイスは、通信デバイスの一例である。ＵＥは、通信デバイスの別の例である。
【００２９】
基地局−用語「基地局」（「ｅＮＢ」とも呼ばれる）は、その通常の意味の全範囲を有し、少なくとも、固定位置に設置され、無線セルラ通信システムの一部として通信するために使用される無線通信局を含む。
【００３０】
リンクバジェットが制限された−その通常の意味の全範囲を含み、少なくとも、リンクバジェットが制限されていないデバイスに対して又は無線アクセス技術（radio access technology、ＲＡＴ）規格が開発されたデバイスに対して、制限された通信能力、又は制限された電力を呈する無線デバイス（例えば、ＵＥ）の特性を含む。リンクバジェットが制限された無線デバイスは、相対的に制限された受信能力及び／又は送信能力を経験することがあり、それは、デバイス設計、デバイスのサイズ、バッテリのサイズ、アンテナのサイズ若しくは設計、送信電力、受信電力、現在の伝送媒体状態、及び／又は他の要因などの、１つ以上の要因に起因する場合がある。そのようなデバイスは、本明細書で「リンクバジェットが制限された」（又は「リンクバジェットが制約された」）デバイスと呼ばれる場合がある。デバイスは、そのサイズ、バッテリ電力、及び／又は送信／受信電力により、本質的にリンクバジェットが制限される場合がある。例えば、ＬＴＥ又はＬＴＥ−Ａを介して基地局と通信しているスマートウォッチは、その縮小された送信／受信電力及び／又は縮小されたアンテナにより、本質的にリンクバジェットが制限される場合がある。スマートウォッチなどのウェアラブルデバイスは、一般的にリンクバジェットが制限されたデバイスである。あるいは、デバイスは、本質的にリンクバジェットが限定されない場合があり、例えば、ＬＴＥ又はＬＴＥ−Ａを介した通常の通信のために充分なサイズ、バッテリ電力、及び／又は送信／受信電力を有する場合があるが、例えば、セルの縁部にあるスマートフォンなどの、現在の通信条件により一時的にリンクバジェットが限定される場合がある。用語「リンクバジェットが限定された」は、電力制限を含む又は包含し、したがって、電力が限定されたデバイスは、リンクバジェットが限定されたデバイスと考え得ることを留意されたい。
【００３１】
処理要素（又はプロセッサ）−様々な要素又は要素の組み合わせを指す。処理要素は、例えば、ＡＳＩＣ（Application Specific Integrated Circuit、特定用途向け集積回路）などの回路、個別のプロセッサコアの一部分若しくは回路、プロセッサコア全体、個別プロセッサ、フィールドプログラマブルゲートアレイ（field programmable gate array、ＦＰＧＡ）などのプログラム可能ハードウェアデバイス、及び／又は複数のプロセッサを含むシステムのより大きい部分を含む。
【００３２】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能ハードウェア要素、ＡＳＩＣなど）によって、それらのアクション又は動作が実行されることを指す。したがって、用語「自動的」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動」では実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定するユーザ入力を何ら使用することなく、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００３３】
構成されている−様々な要素が、タスクを実行する「ように構成されている」と説明され得る。そのような文脈において「構成されている」は、動作中のタスクを実行する「構造を有する」ことを一般的に意味する広範な説明である。このように、要素は、タスクを現在実行していない場合であっても、そのタスクを実行するように構成することができる（例えば、一組の電気導体は、２つのモジュールが接続されていなくても、モジュールを別のモジュールへ電気的に接続するように構成されていてもよい）。いくつかの文脈において、「構成されている」は、動作中のタスクを実行する「回路を有する」ことを一般的に意味する広範な説明であってもよい。このように、要素は、現在オンでなくても、そのタスクを実行するように構成することができる。一般に、「構成されている」に対応する構造を形成する回路は、ハードウェア回路を含んでもよい。
【００３４】
本明細書の記載では、便宜上、様々な要素がタスクを実行するように説明され得る。そのような説明は、語句「構成されている」を含むように解釈されるべきである。１つ以上のタスクを実行するように構成されている要素の説明は、米国特許法１１２条第６パラグラフのその要素についての解釈を引き起こさないことが、明確に意図されている。
図１〜図２：無線通信システム
【００３５】
図１は、無線セルラ通信システムの例を示す。図１は、多くの中で１つの可能性を表しており、要望に応じ、本開示の特徴が様々なシステムのいずれかで実施されてもよいことに留意されたい。例えば、本明細書で説明された実施形態は、任意のタイプの無線デバイスに実装され得る。
【００３６】
図に示すように、例示的な無線通信システムは、１つ以上の無線デバイス１０６Ａ、１０６Ｂなど、及びアクセサリデバイス１０７と、送信媒体を通じて通信するセルラ基地局１０２を含む。無線デバイス１０６Ａ、１０６Ｂ及び１０７は、本明細書で「ユーザ装置」（ＵＥ）又はＵＥデバイスと称されることがあるユーザデバイスであってもよい。
【００３７】
基地局１０２は、無線基地局（ＢＴＳ）又はセルサイトとすることができ、ＵＥデバイス１０６Ａ、１０６Ｂ及び１０７との無線通信を可能にするハードウェアを含んでもよい。また、基地局１０２は、ネットワーク１００（例えば、様々な可能性の内、セルラサービスプロバイダのコアネットワーク、公衆交換電話網（ＰＳＴＮ）などの電気通信ネットワーク、及び／又はインターネット）と通信するために装備されていてもよい。それゆえ、基地局１０２は、ＵＥデバイス１０６と１０７との間の通信、及び／又はＵＥデバイス１０６／１０７とネットワーク１００との間の通信を容易とすることができる。他の実装形態では、基地局１０２は、８０２．１１ａ、ｂ、ｇ、ｎ、ａｃ、ａｄ及び／若しくはａｘなどの１つ以上のＷＬＡＮプロトコル、又はライセンス不要帯域（ＬＡＡ）におけるＬＴＥをサポートするアクセスポイントなどの１つ以上の他の無線技術を通じて通信を提供するように構成されてもよい。
【００３８】
基地局１０２の通信領域（又はカバレッジ領域）は、「セル」と呼ばれることもある。基地局１０２及びＵＥ１０６／１０７は、ＧＳＭ、ＵＭＴＳ（ＷＣＤＭＡ、ＴＤＳ−ＣＤＭＡ）、ＬＴＥ、ＬＴＥ−Ａｄｖａｎｃｅｄ（ＬＴＥ−Ａ）、ＮＲ、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ（登録商標）、ＷｉＭＡＸなどの、様々な無線アクセス技術（ＲＡＴ）又は無線通信技術のいずれかを使用して、伝送媒体を通じて通信するように構成されてもよい。
【００３９】
１つ以上のセルラ通信技術に従って動作する基地局１０２及び他の類似の基地局（図示せず）は、それゆえ、１つ以上のセルラ通信技術を介して地理的領域にわたってＵＥデバイス１０６Ａ〜Ｎ及び１０７並びに類似のデバイスに連続性のある又はほぼ連続性のある重なり合うサービスを提供することができる、セルのネットワークとして提供されてもよい。
【００４０】
少なくとも一部の例では、ＵＥデバイス１０６／１０７は、複数の無線通信技術のいずれかを使用して通信できることに留意されたい。例えば、ＵＥデバイス１０６／１０７は、ＧＳＭ、ＵＭＴＳ、ＣＤＭＡ２０００、ＷｉＭＡＸ、ＬＴＥ、ＬＴＥ−Ａ、ＮＲ、ＷＬＡＮ、Ｂｌｕｅｔｏｏｔｈ（登録商標）、１つ以上の全地球的衛星航法システム（ＧＮＳＳ、例えばＧＰＳ又はＧＬＯＮＡＳＳ）、１つ以上のモバイルテレビ放送標準（例えば、ＡＴＳＣ−Ｍ／Ｈ）などのうちの１つ以上を使用して通信するように構成されてもよい。無線通信技術の他の組み合わせ（３つ以上の無線通信技術を含む）も可能である。同様に、一部の例では、ＵＥデバイス１０６／１０７は、単一の無線通信技術のみを使用して通信するように構成されてもよい。
【００４１】
ＵＥ１０６Ａ及び１０６Ｂは、典型的には、スマートフォン又はタブレットなどのハンドヘルドデバイスであるが、セルラ通信能力を有する様々な種類のデバイスのいずれかであってもよい。例えば、ＵＥ１０６Ａ及び１０６Ｂのうちの任意の１つ以上は、装置、測定機器、制御機器などの定置又は移動性の配備を意図した無線デバイスであり得る。ＵＥ１０６Ｂは、アクセサリデバイス１０７と呼ばれることもあるＵＥデバイス１０７と通信するように構成されてもよい。アクセサリデバイス１０７は、様々な種類の無線デバイスのいずれか、典型的には、フォームファクタがより小さいウェアラブルデバイスであってもよく、ＵＥ１０６と比べて限られたバッテリ、出力電力及び／又は通信能力を有してもよい。１つの共通する例として、ＵＥ１０６Ｂは、ユーザによって持ち運ばれるスマートフォンであってもよく、アクセサリデバイス１０７は、同一のユーザによって身に着けられるスマートウォッチであってもよい。ＵＥ１０６Ｂとアクセサリデバイス１０７は、Ｂｌｕｅｔｏｏｔｈ又はＷｉ−Ｆｉなどの様々な短距離通信プロトコルのいずれかを使用して通信してもよい。
【００４２】
アクセサリデバイス１０７は、セルラ通信能力を含むため、セルラ基地局１０２と直接通信可能である。しかしながら、アクセサリデバイス１０７は、通信、出力電力及び／又はバッテリのうちの１つ以上が限られている可能性があるため、アクセサリデバイス１０７は、一部の例では、基地局１０２との、ひいてはネットワーク１００への通信目的のプロキシとしてＵＥ１０６Ｂを選択的に利用する場合がある。換言すると、アクセサリデバイス１０７は、ＵＥ１０６Ｂのセルラ通信機能を選択的に使用してセルラ通信を行うことができる。アクセサリデバイス１０７の通信能力の制限は、例えば、出力電力又はサポートされる無線アクセス技術（ＲＡＴ）の制限に起因して、永続的ともなり得るし、例えば、現在のバッテリ状態、ネットワークへのアクセス不能、又は受信不良などの状態に起因して、一時的ともなり得る。
【００４３】
図２は、基地局１０２と通信する例示的なアクセサリデバイス１０７を示す。アクセサリデバイス１０７は、スマートウォッチなどのウェアラブルデバイスであってもよい。アクセサリデバイス１０７は、セルラ通信能力を含み、図示されるような基地局１０２と直接通信する能力を有してもよい。アクセサリデバイス１０７が基地局と直接通信するように構成されている場合には、アクセサリデバイスは、「自律モード」にあると呼ばれる場合がある。
【００４４】
アクセサリデバイス１０７はまた、短距離通信プロトコルを使用して、プロキシデバイス又は中間デバイスと呼ばれる別のデバイス（例えば、ＵＥ１０６）とも通信できる。例えば、アクセサリデバイス１０７は、いくつかの実施形態によれば、ＵＥ１０６と「対」になり得る。いくつかの状況下では、アクセサリデバイス１０７は、セルラ音声／データを基地局１０２と通信するために、このプロキシデバイスのセルラ機能を使用することができる。換言すると、アクセサリデバイス１０７は、近距離リンクを介して、基地局１０２向けに意図された音声／データパケットをＵＥ１０６に提供してもよく、ＵＥ１０６は、そのセルラ機能を使用して、アクセサリデバイス１０７に代わって、この音声／データを基地局に送信（又は中継）してもよい。同様に、基地局によって送信され、アクセサリデバイス１０７向けに意図された音声／データパケットは、ＵＥ１０６のセルラ機能によって受信された後、近距離リンクを介してアクセサリデバイスに中継されてもよい。このように、ＵＥ１０６は、携帯電話、タブレット、若しくは任意の他の種類のハンドヘルドデバイス、メディアプレーヤ、コンピュータ、ラップトップ又は実質的に任意の種類の無線デバイスであってもよい。アクセサリデバイス１０７が、仲介デバイス又はプロキシデバイスのセルラ機能を使用して基地局と間接的に通信するように構成されている場合には、アクセサリデバイスは、「中継モード」にあると呼ばれる場合がある。
【００４５】
ＵＥ１０６及び／又は１０７は、セルラモデムと呼ばれる、セルラ通信を容易にするためのデバイス又は集積回路を含み得る。セルラモデムは、本明細書で説明されるように、１つ以上のプロセッサ（処理要素）及び様々なハードウェア構成要素を含み得る。ＵＥ１０６及び／又は１０７は、１つ以上のプログラム可能プロセッサにて命令を実行することにより、本明細書に記載された方法の実施形態のいずれかを実行してもよい。あるいは又は加えて、１つ以上のプロセッサは、本明細書で説明された方法の実施形態のうちのいずれか、又は本明細書で説明された方法の実施形態のうちのいずれかの任意の部分を実行するように構成されたＦＰＧＡ（フィールドプログラマブルゲートアレイ）などの１つ以上のプログラム可能ハードウェア要素又は他の回路を含んでもよい。本明細書で説明されたセルラモデムは、本明細書で定義されるようなＵＥデバイス、本明細書で定義されるような無線デバイス、又は本明細書で定義されるような通信デバイスで使用することができる。本明細書で説明されたセルラモデムはまた、基地局又は他の類似のネットワーク側デバイスでも使用できる。
【００４６】
ＵＥ１０６及び／又は１０７は、２つ以上の無線通信プロトコル又は無線アクセス技術を使用して通信するための１つ以上のアンテナを含んでもよい。一部の実施形態では、ＵＥデバイス１０６／１０７は、単一の共有無線機を使用して通信するように構成されてもよい。共有無線機は、無線通信を実行するための、単一のアンテナに連結することができるか、又は複数のアンテナ（例えば、ＭＩＭＯの場合）に連結することができる。あるいは、ＵＥデバイス１０６／１０７は、２つ以上の無線機を含んでもよい。他の構成も可能である。
【００４７】
アクセサリデバイス１０７は、一部の実施形態では、従来のスマートフォンと比べて小さいフォームファクタを有する様々な種類のデバイスのうちのいずれかとすることができ、従来のスマートフォンと比べて、限られた通信能力、限られた出力電力、又は限られたバッテリ寿命のうちの１つ以上を有し得る。上述したように、一部の実施形態では、アクセサリデバイス１０７は、スマートウォッチ又は他の種類のウェアラブルデバイスである。別の例では、アクセサリデバイス１０７は、Ｗｉ−Ｆｉ能力を有する（場合によりセルラ通信能力が限られているかセルラ通信能力を持たない）ｉＰａｄなどのタブレットデバイスであって、現在はＷｉ−Ｆｉホットスポットに近接していないため、現在はＷｉ−Ｆｉを通じてインターネットと通信できないタブレットデバイスとすることができる。よって、上記のように、用語「アクセサリデバイス」は、一部の例において、通信能力が限られ又は縮小され、従って、１つ以上のアプリケーション及び／又はＲＡＴのための通信目的のプロキシとしてＵＥ１０６を選択的かつ便宜的に利用することができる、様々な種類のデバイスのいずれかを指す。ＵＥ１０６がアクセサリデバイス１０７によってプロキシとして使用可能である場合には、ＵＥ１０６は、アクセサリデバイス１０７のコンパニオンデバイスと呼ばれる場合がある。
図３−ＵＥデバイスのブロック図
【００４８】
図３は、ＵＥデバイス１０６又は１０７などのＵＥデバイスの１つの考えられるブロック図を示す。図に示すように、ＵＥデバイス１０６／１０７は、様々な目的のための諸部分を含み得る、システムオンチップ（system on chip、ＳＯＣ）３００を含み得る。例えば、図に示すように、ＳＯＣ３００は、ＵＥデバイス１０６／１０７に対するプログラム命令を実行することができるプロセッサ（単数又は複数）３０２と、グラフィック処理を実行し、ディスプレイ３６０に表示信号を提供することができる表示回路３０４とを含んでもよい。ＳＯＣ３００はまた、例えば、ジャイロスコープ、加速度計、及び／又は様々な他の動き感知構成要素のうちのいずれかを使用して、ＵＥ１０６の動きを検知できる動き感知回路３７０も含むことができる。プロセッサ（単数又は複数）３０２はまた、プロセッサ（単数又は複数）３０２からアドレスを受信し、それらのアドレスをメモリ（例えば、メモリ３０６、読み出し専用メモリ（read only memory、ＲＯＭ）３５０、フラッシュメモリ３１０）内の位置に変換するように構成することができる、メモリ管理ユニット（memory management unit、ＭＭＵ）３４０に結合されてもよい。ＭＭＵ３４０は、メモリ保護及びページテーブル変換又は設定を実行するように構成されていてもよい。いくつかの実施形態では、ＭＭＵ３４０はプロセッサ（単数又は複数）３０２の一部として含まれてもよい。
【００４９】
図に示すように、ＳＯＣ３００は、ＵＥ１０６／１０７の様々な他の回路に結合されてもよい。例えば、ＵＥ１０６／１０７は、（例えば、ＮＡＮＤフラッシュ３１０を含む）様々な種類のメモリ、（例えば、コンピュータシステム、ドック、充電ステーションなどに結合するための）コネクタインタフェース３２０、ディスプレイ３６０、及び（例えば、ＬＴＥ、ＬＴＥ−Ａ、ＮＲ、ＣＤＭＡ２０００、Ｂｌｕｅｔｏｏｔｈ、Ｗｉ−Ｆｉ、ＮＦＣ、ＧＰＳなどのための）無線通信回路３３０を含み得る。
【００５０】
ＵＥデバイス１０６／１０７は、基地局及び／又は他のデバイスとの無線通信を実行するための、少なくとも１つのアンテナ、一部の実施形態では、複数のアンテナ３３５ａ及び３３５ｂを含んでもよい。例えば、ＵＥデバイス１０６／１０７は、アンテナ３３５ａ及び３３５ｂを使用して、無線通信を実行することができる。上述したように、ＵＥデバイス１０６／１０７は、一部の実施形態では、複数の無線通信規格又は無線アクセス技術（ＲＡＴ）を使用して無線で通信するように構成されてもよい。
【００５１】
無線通信回路３３０は、Ｗｉ−Ｆｉロジック３３２、セルラモデム３３４、及びＢｌｕｅｔｏｏｔｈロジック３３６を含み得る。Ｗｉ−Ｆｉロジック３３２は、ＵＥデバイス１０６／１０７が８０２．１１ネットワーク上でＷｉ−Ｆｉ通信を実行できるようにするためのものである。Ｂｌｕｅｔｏｏｔｈロジック３３６は、ＵＥデバイス１０６／１０７がＢｌｕｅｔｏｏｔｈ通信を実行できるようにするためのものである。セルラモデム３３４は、１つ以上のセルラ通信技術に従って、セルラ通信を実行することができる低電力セルラモデムであり得る。
【００５２】
本明細書で説明されるように、ＵＥ１０６／１０７は、本開示の実施形態を実装するためのハードウェア及びソフトウェア構成要素を含んでもよい。例えば、ＵＥデバイス１０６／１０７の無線通信回路３３０（例えば、セルラモデム３３４）のうちの１つ以上の構成要素は、例えば、記憶媒体（例えば、非一時的コンピュータ可読記憶媒体）に記憶されたプログラム命令を実行するプロセッサ、ＦＰＧＡ（フィールドプログラマブルゲートアレイ）として構成されたプロセッサによって、及び／又はＡＳＩＣ（特定用途向け集積回路）を含み得る専用ハードウェア構成要素を使用して、本明細書で説明された方法の一部又は全てを実行するように構成されてもよい。
図４−基地局のブロック図
【００５３】
図４は、いくつかの実施形態に係る、基地局１０２の例示的なブロック図を示す。図４の基地局は、予想される基地局の一例に過ぎないことに留意されたい。図に示すように、基地局１０２は、基地局１０２に対するプログラム命令を実行し得るプロセッサ（単数又は複数）４０４を含んでもよい。プロセッサ（単数又は複数）４０４はまた、プロセッサ（単数又は複数）４０４からアドレスを受信し、そのアドレスをメモリ（例えばメモリ４６０、及び読み出し専用メモリ（ＲＯＭ）４５０）内の領域に変換するように構成され得るメモリ管理ユニット（ＭＭＵ）４４０に、又は他の回路若しくはデバイスに結合されてもよい。
【００５４】
基地局１０２は、少なくとも１つのネットワークポート４７０を含んでもよい。ネットワークポート４７０は、電話網に連結するように構成されており、図１及び図２において上述したように、ＵＥデバイス１０６／１０７などの複数のデバイスに、その電話網への接続を提供してもよい。
【００５５】
ネットワークポート４７０（又は追加のネットワークポート）は、更に又は代替的に、セルラネットワークに、例えばセルラサービスプロバイダのコアネットワークに接続するように構成されていてもよい。このコアネットワークは、ＵＥデバイス１０６／１０７などの複数のデバイスに、移動性に関連するサービス及び／又は他のサービスを提供することができる。例えば、コアネットワークは、例えば、モビリティ管理サービスを提供するためのモビリティ管理エンティティ（mobility management entity、ＭＭＥ）、例えば、インターネットなどへの外部データ接続を提供するためのサービングゲートウェイ（serving gateway、ＳＧＷ）、及び／又はパケットデータネットワークゲートウェイ（packet data network gateway、ＰＧＷ）を含んでもよい。一部の場合には、ネットワークポート４７０は、コアネットワークを介して電話網に連結することができ、及び／又はコアネットワークは、電話網を提供することができる（例えば、セルラサービスプロバイダによってサービス提供される他のＵＥデバイスの中に）。
【００５６】
基地局１０２は、少なくとも１つのアンテナ４３４を含んでもよく、場合によっては複数のアンテナを含んでもよい。アンテナ（単数又は複数）４３４は、無線送受信器として動作するように構成することができ、無線機４３０を介して、ＵＥデバイス１０６／１０７と通信するように更に構成することができる。アンテナ（単数又は複数）４３４は、通信チェーン４３２を介して、無線機４３０と通信する。通信チェーン４３２は、受信チェーン、送信チェーン、又はその両方であってもよい。無線機４３０は、ＬＴＥ、ＬＴＥ−Ａ、ＮＲ、ＧＳＭ、ＵＭＴＳ、ＣＤＭＡ２０００、Ｗｉ−Ｆｉなどを含むがこれらには限定されない種々の無線通信規格によって、通信するように構成することができる。
【００５７】
基地局１０２は、複数の無線通信規格を使用して無線通信するように構成することができる。いくつかの例では、基地局１０２は、複数の無線機を備えることができ、これによって、基地局１０２は、複数の無線通信技術に従って通信することができる。例えば、一つの可能性として、基地局１０２は、ＬＴＥに従って通信を実行するためのＬＴＥ無線機、並びに、Ｗｉ−Ｆｉに従って通信するためのＷｉ−Ｆｉ無線機を備えてもよい。このような場合、基地局１０２は、ＬＴＥ基地局及びＷｉ−Ｆｉアクセスポイントの両方として動作することができる。別の可能性として、基地局１０２は、マルチモード無線機を備えることができる。このマルチモード無線機は、複数の無線通信技術（例えば、ＬＴＥとＷｉ−Ｆｉ、ＬＴＥとＵＭＴＳ、ＬＴＥとＣＤＭＡ２０００、ＵＭＴＳとＧＳＭ、等）のうちのいずれかに従って、通信を行うことができる。
【００５８】
本明細書で更にこの後に説明するように、ＢＳ１０２は、本明細書で説明する機能を実行するためのハードウェア及びソフトウェアの構成要素を含むことができる。基地局１０２のプロセッサ４０４は、例えば、記憶媒体（例えば、非一時的コンピュータ可読記憶媒体）に記憶されたプログラム命令を実行することによって、本明細書で説明される方法の一部又は全てを実行するように構成されてもよい。あるいは、プロセッサ４０４は、ＦＰＧＡ（フィールドプログラマブルゲートアレイ）などのプログラム可能ハードウェア要素として、又はＡＳＩＣ（特定用途向け集積回路）若しくはこれらの組み合わせとして、構成されてもよい。あるいは（又は加えて）、ＢＳ１０２のプロセッサ４０４は、他の構成要素４３０、４３２、４３４、４４０、４５０、４６０、４７０のうちの１つ以上と連携して、本明細書で説明する機能の一部若しくは全てを実行する又は実装をサポートするように、構成することができる。
図５〜図６−フローチャート図
【００５９】
セルラ通信技術が発展すると、より多くの数のセルラ通信可能デバイスが配備されることが予想される。デバイス数が増加し続けている理由の１つとしては、マシンタイプ通信（machine type communication、ＭＴＣ）を実行するデバイスの開発及び普及が挙げられる。定置配備デバイス、ウェアラブルデバイス、及び／又は「モノのインターネット」の一部を形成する他のデバイスを含むことができるこのようなデバイスは、一般に、頻繁な及び／又は周期的な小データ送信を実行するように設計され得る。
【００６０】
このようなデバイスの潜在的なより限定された予想される使用シナリオの観点から、主としてＭＴＣを実行するように予想されるデバイスは、例えば、このようなデバイスのサイズ、製造コスト、及び／又は消費者のコストを低減するために、一般に、多くの他の一般セルラデバイス（例えば、ハンドヘルド型セルラ電話など）よりも複雑性の低いデバイスであり得る。したがって、多くの場合、このようなデバイスの通信能力（例えば、アンテナの数及び／又は電力レベル、バッテリ能力、通信範囲など）は、比較的制限され得る。例えば、このようなデバイスの多くは、リンクバジェットが制限されたデバイスと見なすことができる。
【００６１】
これは、主として、より大きい通信能力を備えた無線デバイスをサポートする無線通信システムに、困難をもたらす場合がある。したがって、少なくともいくつかの無線通信技術は、（例えば、リンクバジェットが制限されていない無線デバイスに加えて）リンクバジェットが制限されたデバイスをサポートする方法で、修正及び／又は開発されている。
【００６２】
例えば、少なくともいくつかのセルラ通信システムは、例えば、様々な通信能力を有し、及び／又は様々な無線状態で動作する無線デバイスを収納するのを助けるために、複数のカバレッジモードを提供することができる。このようなカバレッジモードは、１つの可能性として、（例えば、固有のデバイス能力、現在の状態、又はいくつかのこれらの組み合わせの結果であろうとなかろうと、様々な程度の不良な無線状態の無線デバイスのための）１つ以上の拡張カバレッジモードと共に（例えば、良好な無線状態の無線デバイスのための）通常カバレッジモードを含むことができる。
【００６３】
多くの場合、無線デバイスは、提供されたカバレッジモードのうちの１つのみで優勢に又は排他的に動作することができる。例えば、定置配備のＭＴＣデバイスは、１つの可能性として、デバイス特性及びそのサービングセルとの典型的な無線状態のその特定の組み合わせに基づいて、常に拡張カバレッジモードで動作することができる。しかし、デバイス能力及び使用目的の増加幅の一部として、無線デバイスの少なくともいくつかのサブセットは、異なるときに異なるカバレッジモードによってより良好に提供されるように、様々な無線状態を経験する場合がある。このようなデバイスでは、異なるカバレッジモード間を切り替える技術を提供することは、例えば、サービスカバレッジ範囲を延長すること及び／又は電力消費低減することによって、動作効率を向上させることができる。
【００６４】
したがって、図５は、いくつかの実施形態に係る、カバレッジモード間を動的に切り換える方法を示すフローチャート図である。様々な実施形態では、示された方法の要素のいくつかは、同時に実行してもよく、示されたものとは異なる順序で実行してもよく、他の方法要素によって置換されてもよく、又は省略してもよい。必要に応じて、追加の方法要素をも実行してもよい。
【００６５】
図５の方法の態様は、図１〜図３に示され、かつ図１〜図３に関して記載されたＵＥ１０６又は１０７などの無線デバイス並びに／若しくは図１、図２、及び図４に示され、かつ図１、図２、及び図４に関して記載された基地局１０２によって、又はより一般的に、必要に応じて、他のデバイスの中で、上図に示されたコンピュータシステム又はデバイスのうちのいずれかと関連して実行することができる。図５の方法の少なくともいくつかの要素は、ＬＴＥ及び／又は３ＧＰＰ規格と関連付けられた通信技術及び／又は機能の使用に関する方法で記載されているが、このような説明は、本開示を制限することを意図するものではなく、図５の方法の態様は、必要に応じて、任意の好適な無線通信システムで使用され得ることに留意されたい。図に示すように、この方法は以下のように動作してよい。
【００６６】
５０２では、無線デバイスは、セルラ基地局により提供されたサービングセルにキャンプオンすることができる。サービングセルは、ＬＴＥ、ＮＲ、ＵＭＴＳ、ＣＤＭＡ２０００などの無線通信技術（又は「無線アクセス技術」又は「ＲＡＴ」）にしたがって、セルラ通信サービスを提供することができる。いくつかの実施形態によれば、サービングセルにキャンプオンするために、無線デバイスは、サービングセルが存在することを検出し、タイミング同期を入手し、サービングセルのシステム情報をデコードし、（例えば、接続手順を実行することによって）セルへ接続することができる。無線デバイスは、サービングセルにキャンプオンしている間の様々な時点で、（例えば、接続手順を実行するために初期接続を解除した後に）アイドルモードで動作でき、及び／又は（例えば、無線リソース制御（radio resource control、ＲＲＣ）接続を確立している間に）接続モードで動作できる。
【００６７】
サービングセルは、（例えば、無線デバイスのユーザがセルラサービスを提供するための加入契約及び／又は他の同意を有し得る）セルラサービスプロバイダのコアネットワークなどのセルラネットワークへの通信リンクを無線デバイスに提供できる。サービングセルと接続モードで動作する場合、セルラネットワークは、ユーザデバイスと、他のユーザデバイス、公衆交換電話網、インターネット、様々なクラウドベースサービスなどの、様々なサービス及び／又はセルラネットワークと連結されたデバイスとの間に接続性を提供できる。異なる特性を備えた種々の可能なデータタイプは、サービングセルを介して送信され得る。加えて、様々なシグナリングメッセージを様々な時点で交換して、無線デバイスとサービングセルとの間にシグナリング機能を確立、維持、再構成、及び／又は別の方法で提供することができる。
【００６８】
５０４では、無線デバイスは、サービングセルが通常カバレッジモード及び拡張カバレッジモードをサポートすることを判定することができる。いくつかの実施形態によれば、拡張カバレッジモードはまた、「カバレッジ拡張」又は「ＣＥ」モードと呼ばれる場合もある。追加のカバレッジモードもまた、少なくとも一部の例ではサポートされ得る。例えば、サービングセルは、複数のＣＥモード（例えば、少なくともいくつかのＬＴＥ実装に従う、ＣＥモードＡ及びＢ）を提供することができ、１つの可能性として、各々が、異なる範囲の無線状態を経験しているデバイスへとカバレッジを延長することを意図している。
【００６９】
サービングセルは、どのカバレッジモードをサポートするかを広告することができる。例えば、サービングセルは、（例えば、１つ以上の拡張カバレッジモードが通常カバレッジモードに加えてサポートされることを示す、１つ以上のマスタ情報ブロック（master information block、ＭＩＢ）及び／又はシステム情報ブロック（system information block、ＳＩＢ）においてシステム情報をブロードキャストすることができる。加えて、少なくともいくつかの実施形態によれば、サポートされたカバレッジモードのうちの少なくともいくつかの様々な特性及び／又はパラメータは、システム情報に示され得る。例えば、様々なカバレッジモードに対応する信号強度及び／又は信号品質範囲は、システム情報内のサービングセルによって示され得る。別の例では、どのカバレッジモードを無線デバイスが要求／使用しているのかを示すパラメータが示され得る。拡張カバレッジモード及び／若しくは通常カバレッジモードの他の特性並びに／又はパラメータもまた、サービングセルによって示され得る。あるいは又は加えて、提供された様々なカバレッジモードの特性及びパラメータを定義するいくつかの又は全ての情報は、規格化されてもよく、したがって、サービングセルが従って動作する規格（及び場合によりバージョン／リリース）のインジケーションにより意図していてもよい。
【００７０】
５０６では、無線デバイスは、無線デバイスが経験している現在の無線状態がサービングセルによって提供されるどのカバレッジモードに対応するかを判定できる。このような判定の一部として、無線デバイスは、無線デバイスが経験している現在の無線状態を測定できる。例えば、無線デバイスは、参照信号受信電力（reference signal received power、ＲＳＲＰ）、参照信号受信品質（reference signal received quality、ＲＳＲＱ）、信号対干渉電力と雑音比（signal to interference plus noise ratio、ＳＩＮＲ）、受信信号強度インジケータ（received signal strength indicator、ＲＳＳＩ）、受信信号コード電力（received signal code power、ＲＳＣＰ）、エネルギ対干渉電力比（Energy to Interference Ratio、Ｅｃ／Ｉｏ）、及び／又は様々な他の可能なメトリクスのうちのいずれかで定義される、サービングセルの信号強度、信号品質、及び／又は任意の他の所望の特性を測定できる１つ以上のサービングセル測定を実行できる。
【００７１】
一度、現在の無線状態（例えば、信号強度／品質などを含む）が測定されると、無線デバイスは、それらの無線状態をサービングセルによって提供された範囲（単数又は複数）と比較して、どの範囲に入るか、したがって、どのカバレッジモードが現在では無線デバイスに適切かを判定することができる。
【００７２】
５０８では、無線デバイスは、サービングセルをトリガして、無線デバイスが経験している現在の無線状態に対応するカバレッジモードに従いカバレッジを提供することができる。例えば、無線デバイスの無線状態が通常カバレッジモードに対応すると判定された場合（例えば、測定された信号強度及び／又は信号品質の値が通常カバレッジに対応するようにサービングセルによって定義された範囲内である場合）、無線デバイスは、サービングセルをトリガして、通常カバレッジを提供でき、無線デバイスは、通常カバレッジモードで動作できる。無線デバイスの無線状態が延長カバレッジモードに対応するように変化したと判定された場合（例えば、測定された信号強度及び／又は信号品質の値が変化して、今は延長カバレッジに対応するようにサービングセルによって定義された範囲内である場合）、無線デバイスは、サービングセルをトリガして、延長カバレッジを提供でき、無線デバイスは、延長カバレッジモードで動作できる。したがって、無線デバイスは、適切と判定されるようにそのカバレッジモードを動的に調整することができ、これは、無線デバイスが経験している無線状態に少なくとも部分的に依存し得る。
【００７３】
少なくともいくつかの実施形態によれば、無線デバイスは、その現在の無線状態がどのカバレッジモードに対応するかを判定することができ、無線デバイスがアイドルモード又は接続モードのいずれかで動作している場合、サービングセルをトリガして、特定のカバレッジモードに従いカバレッジを提供することができる。
【００７４】
いくつかの実施形態によれば、特定のカバレッジモードに従いカバレッジを提供するためのトリガは、所望のカバレッジモードと関連付けられた物理ランダムアクセスチャネル（physical random access channel、ＰＲＡＣＨ）プリアンブルを使用して、ランダムアクセスチャネル（random access channel、ＲＡＣＨ）手順を実行することを含み得る。前述のとおり、サービングセルは、例えば、そのシステム情報ブロードキャストの一部として、どのカバレッジモードを無線デバイスが要求／使用しているのかを示すために使用することができるパラメータを示し得る。いくつかの実施形態によれば、どのＰＲＡＣＨプリアンブルがどのカバレッジモードと関連付けられているかを示す情報は、このインジケーションの中に含まれ得る。特定のカバレッジモードに従いカバレッジを提供するためのトリガは、また（又はあるいは）、無線デバイスにサービス提供するモビリティ管理エンティティ（ＭＭＥ）との間で位置登録信号要求（tracking area update、ＴＡＵ）手順を実行することなどのモビリティ管理（mobility management、ＭＭ）アクションを実行することを含むことができる。このようにして、無線デバイスにサービングセルを提供する基地局及び無線デバイスの（モビリティ管理動作の中でもとりわけ）ページングを管理するＭＭＥの両方に、無線デバイスが現在動作しているモードに従ってカバレッジモードを通知し得る。
【００７５】
無線デバイスのカバレッジモードを更新するためにサービングセル（及び潜在的にＭＭＥ）をこのようにトリガする結果として、示されたカバレッジモードを使用して、後続のページング及び他の通信を実行できる。例えば、通常カバレッジモードで動作するときと拡張カバレッジモードで動作するときとでは、異なる制御チャネルをページングと関連付けることができる。したがって、無線デバイスが無線デバイスに対する拡張カバレッジモードの有効化をトリガした後、ＭＭＥが無線デバイスをページングするように判定する際に、無線デバイスをページングするように試みる基地局のグループは、無線デバイスが拡張カバレッジモードにあることを通知される場合があり、拡張カバレッジモードと関連付けられた制御チャネルを使用して、ページングを実行することができる。次いで、無線デバイスは、その無線状態が通常カバレッジモードに対応して再度変化したことをその後に判定して、無線デバイスに対する通常カバレッジモードの有効化をトリガした場合、ＭＭＥが無線デバイスをページングするように判定する際に、無線デバイスをページングするように試みる基地局のグループは、無線デバイスが通常カバレッジモードにあることを通知される場合があり、通常カバレッジモードと関連付けられた制御チャネルを使用して、ページングを実行することができる。
【００７６】
前述のとおり、無線デバイスのカバレッジモードを動的に変更できることにより、無線デバイスの動作効率を向上させることができる。例えば、無線状態が拡張カバレッジモードに対応する場合、無線デバイスは、通常カバレッジモード通信技術及びパラメータを使用して、正常に通信できない場合があり、そのため、拡張カバレッジモードへの切り替えは、無線デバイスが本当にサービングセルと通信できるようにするために必要であり得、通信試行の失敗により無駄になる電力消費を低減することができる。無線状態が通常カバレッジモードに対応する場合、無線デバイスは、より電力効率の良い通信技術を利用することができ、及び／又はより大きなスループットを入手することができ、そのため、通常カバレッジモードへの切り替えは、無線デバイスの電力消費効率を向上させることができ、及び／又はより広範囲のデータ通信を可能にすることができる。
【００７７】
しかし、少なくともいくつかの実施形態によれば、無線デバイスについて、無線デバイスのカバレッジモード切り替えをトリガするために、追加のシグナリングトラフィックが実行され得るという点に留意すべきである。例えば、上述したように、少なくとも一部の例では、無線デバイスは、その現在のカバレッジモードとは異なるカバレッジモードと関連付けられたＰＲＡＣＨプリアンブルを使用して、ＲＡＣＨ手順を実行することによってカバレッジモード切り替えをトリガすることができる。いくつかの実施形態によれば、このような追加のシグナリングを制限することが望ましい場合がある。例えば、いくつかの実施形態によれば、無線デバイスは、カバレッジモードの変更をトリガする周波数を制限するタイマを実装するように構成されてもよく、及び／又は異なるカバレッジモードと関連付けられた信号強度／品質の範囲／値に関してヒステリシスを実装することができる。したがって、以下の技術は、カバレッジモード間の切り替えをトリガするための予め説明された技術の補足又は代替として使用して、例えば、依然として複数のカバレッジモードの利点を実質的な程度で入手しながら、このような追加のシグナリングを制限することができる。
【００７８】
１つの可能な技術として、一部の実施形態では、セルラネットワークは、ネットワークが無線デバイスをページングしている際に、通常カバレッジモードと関連付けられた制御チャネルを使用して、いくつかの初期試行数ｎを実行することができ、無線デバイスが通常カバレッジモードと関連付けられた制御チャネルを使用したページング試行に応答しない場合、拡張カバレッジモードと関連付けられた制御チャネルを使用して、いくつかの追加の試行数ｍを実行することができるように構成することができる。無線デバイスは、無線デバイスの無線状態が通常カバレッジモードに対応する範囲である場合、ページングメッセージのために通常カバレッジモードと関連付けられた制御チャネルを監視し、無線デバイスの無線状態が拡張カバレッジモードに対応する範囲である場合、ページングメッセージのために拡張カバレッジモードと関連付けられた制御チャネルを監視するように構成することができる。更には、所望であれば、無線デバイスは、無線デバイスの無線状態が通常カバレッジモードに対応する範囲と拡張カバレッジモードに対応する範囲との間の範囲である場合、ページングメッセージのために通常カバレッジモードと関連付けられた制御チャネル及び拡張カバレッジモードと関連付けられた制御チャネルの両方を監視することができる。
【００７９】
例えば、無線デバイスが監視されていない制御チャネルでページングが実行されている場合、このような技術は、依然として欠落ページの影響を受けやすい場合がある。加えて、無線デバイスがページングメッセージのために複数の制御チャネルを同時に監視する場合、これは、ページングメッセージのために単一制御チャネルを監視するよりも多くの電力を消費し得る。したがって、別の（追加の又は代替の）可能性として、ネットワークは、拡張カバレッジモードと関連付けられた制御チャネルを使用して、ページングが常に実行されるように要求するオプションを無線デバイスに提供することができる。例えば、ＬＴＥによれば、ＲＲＣ接続を確立する際、「ｍＰＤＣＣＨでページング」をＴＲＵＥとして示すＵＥ無線アクセス能力要素を使用して、ｍＰＤＣＣＨを使用して常に無線デバイスのページングを実行するように基地局に示すことができる。このようなインジケーションの受信に基づいて、無線デバイスのサービング基地局は、無線デバイスが通常カバレッジで動作している（及び通常カバレッジと関連付けられた無線状態を経験している）場合であっても、無線デバイスが拡張カバレッジにあることを無線デバイスのＭＭＥに示すことができる。したがって、ＭＭＥは、無線デバイスのページングメッセージを有する場合、（例えば、ＰＤＣＣＨとは対照的に）ｍＰＤＣＣＨを使用して無線デバイスをページングすることができる。
【００８０】
どのカバレッジモードを無線デバイスが選択して動作するかに関して可能な更なる考慮事項として、及び動作効率を向上するためのより一般的な考慮事項として、一部の実施形態では、無線デバイスはまた、その通信リンクの帯域幅と関連して通信することが予想されるデータ量を監視することもできる。例えば、ＬＴＥなどの、様々な帯域幅通信チャネルを有する通信システムにおいて、広帯域通信モードで動作する（例えば、より大量の帯域幅を使用する）ときと狭帯域通信モードで動作するとき（例えば、より少量の帯域幅を使用する）とでは、無線デバイスの電力消費に実質的な違いがあり得る。したがって、少なくとも一部の例では、データ量が少ない場合は、少量の帯域幅を使用でき、データ量が多い場合は、大量の帯域幅を使用できる（例えば、必要に応じて）ように、その通信帯域幅を管理するために、無線デバイスの電力消費プロファイルを向上させることができる。
【００８１】
したがって、図６は、いくつかの実施形態に係る、通信帯域幅間を動的に調整する方法を示すフローチャート図である。様々な実施形態では、示された方法の要素のいくつかは、同時に実行してもよく、示されたものとは異なる順序で実行してもよく、他の方法要素によって置換されてもよく、又は省略してもよい。必要に応じて、追加の方法要素をも実行してもよい。
【００８２】
図６の方法の態様は、図１〜図３に示され、かつ図１〜図３に関して記載されたＵＥ１０６又は１０７などの無線デバイス並びに／若しくは図１、図２、及び図４に示され、かつ図１、図２、及び図４に関して記載された基地局１０２によって、又はより一般的に、必要に応じて、他のデバイスの中で、上図に示されたコンピュータシステム又はデバイスのうちのいずれかと関連して実行することができる。図６の方法の少なくともいくつかの要素は、ＬＴＥ及び／又は３ＧＰＰ規格と関連付けられた通信技術及び／又は機能の使用に関する方法で記載されているが、このような説明は、本開示を制限することを意図するものではなく、図６の方法の態様は、必要に応じて、任意の好適な無線通信システムで使用され得ることに留意されたい。図に示すように、この方法は以下のように動作してよい。
【００８３】
６０２では、無線デバイスは、セルラネットワークとの次回の無線通信のデータ量を判定することができる。無線デバイスは、図５のステップ５０２に関して本明細書で説明されたものと同様の方法で、セルラネットワークと関連付けられたサービングセルにキャンプオンしてもよく、サービングセルに接続してもよく、サービングセルからセルラ通信サービスを受信してもよい。
【００８４】
様々な実施形態によれば、様々な技術のいずれかを使用して、次回の無線通信のデータ量を判定することができる。１つの可能性として、次回の無線通信のデータ量を判定することは、セルラネットワークと通信する無線デバイスにて（例えば、基底帯域及び／又はアプリケーション層にて）バッファされたデータ量を判定することを含み得る。別の（追加の又は代替の）可能性として、次回の無線通信のデータ量を判定することは、無線デバイスにて１つ以上のタイプの現在の及び／又は次回のデータアクティビティを判定することを含み得る。無線デバイスで実行される様々なアプリケーション（及びより一般的に様々なタイプのアプリケーション）は、経時的に通信される様々な典型的なデータ量を有し得る（例えば、様々な通信パターンを有し得る）ため、少なくとも一部の例では、発生しているデータアクティビティ（単数又は複数）のタイプを監視することは、セルラネットワークとの通信のために現在バッファされているデータ量を超えるデータ量を少なくとも近似的に予測するのに役立ち得る。
【００８５】
いくつかの実施形態によれば、無線デバイスは、判定されたデータ量と１つ以上のデータ量閾値とをどのように比較するかを更に判定することができる。例えば、無線デバイスは、予想データ量がデータ量閾値を超えているか又は下回っているかを判定して、例えば、比較的広帯域通信帯域幅又は比較的狭帯域通信帯域幅のどちらが予想された次回のデータ量により適しているかを判定することができる。複数のこのようなデータ量閾値は、所望であれば、例えば、異なる範囲の予想データ量と異なる可能な通信帯域幅又は帯域幅範囲との関連付けを容易にするために使用することができる。別の可能性として、異なる可能な通信帯域幅又は帯域幅範囲は、異なるタイプのデータアクティビティと直接関連付けられ得る。例えば、比較的小さいスループット要求及び／又は優先度のデータアクティビティ（例えば、いくつかの実施形態によれば、音声コール、バックグラウンド／同期データ転送など）は、より狭い通信帯域幅と関連付けることができ、一方、比較的大きいスループット要求及び／又は優先度のデータアクティビティ（例えば、いくつかの実施形態によれば、ストリーミングビデオ、大量のダウンロードなど）は、より広い通信帯域幅と関連付けることができる。
【００８６】
６０４では、無線デバイスは、判定されたデータ量に少なくとも部分的に基づいて、サービングセルと通信するための通信帯域幅を要求することができる。少なくともいくつかの実施形態によれば、無線デバイスは、大きいデータ量のためのより広い通信帯域幅及び小さいデータ量のためのより狭い通信帯域幅を一般的に要求することができる。任意の数の可能な技術又はアルゴリズムを無線デバイスによって使用して、任意の所与の時間にどの通信帯域幅を要求するかを判定することができ、同様に、所望の通信帯域幅を要求する方法は、例えば、所望の実施詳細に応じて、非常に異なり得ることに留意されたい。
【００８７】
（例えば、図５に関して）本明細書で前述したとおり、少なくともいくつかのセルラ通信システムにおいて、複数のカバレッジモードは、少なくともいくつかのセルによって提供され得る。多くの場合、このような異なるカバレッジモードは、異なる通信帯域幅プロファイルを有し得る。例えば、ＬＴＥリリース１３によれば、ＣＥモードＡは、約１Ｍｂｐｓ／１Ｍｂｐｓのアップリンク／ダウンリンク通信をサポートできる１．４ＭＨｚの狭帯域通信に制限されており、一方、通常カバレッジモードは、約５Ｍｂｐｓ／１０Ｍｂｐｓのアップリンク／ダウンリンク通信をサポートできる最大２０ＭＨｚの広帯域通信を提供できる。他のＬＴＥリリース又はリビジョン、及び他の通信システムは、異なる通信帯域幅の可能性及びサポートされるスループット能力を有する異なるカバレッジモードを有することができ、このような例示的値は、本開示を制限することを意図するものではないことに留意されたい。
【００８８】
したがって、異なる通信帯域幅プロファイルを有する複数のカバレッジモードを提供する通信システムにおいて、特定の通信帯域幅（又は少なくとも相対量の帯域幅）を効果的に要求する１つの可能な方法は、特定のカバレッジモードを要求することを含むことができる。例えば、一部の実施形態では、狭帯域通信帯域幅を要求するために、無線デバイスは、そのサービングセルがＣＥモードサービスを提供するように要求することができ、一方、広帯域通信帯域幅を要求するために、無線デバイスは、そのサービングセルが通常モードサービスを提供するように要求することができる。
【００８９】
このようなシナリオでは（及び場合により他のシナリオでは）、無線デバイスはまた、カバレッジモード（又はより一般的に、通信帯域幅）を要求するかを決定する際に、無線デバイスが経験している現在の無線媒体（例えば、ＲＦ）状態を考慮することもでき、例えば、これは、どのカバレッジモード／通信帯域幅を要求するかに制約を課すか、又は別の方法で影響を与えることができることに留意されたい。例えば、無線デバイスがＣＥモードに対応する無線状態を経験している場合、無線デバイスは、次回の無線通信のデータ量が多い場合であっても、ＣＥモードに切り換えるよう要求するように判定できる（又はそのままでいることができる）。さもなければ、セルラネットワークとの次回の通信のデータ量が比較的広帯域通信帯域幅と関連付けられている場合（例えば、予想データ量がデータ量閾値を超える場合）、及び無線デバイスの無線状態が通常カバレッジモードに対応する場合、無線デバイスは、通常カバレッジモードで動作するように判定し得る。同様に、セルラネットワークとの次回の通信のデータ量が比較的狭帯域通信帯域幅と関連付けられている場合（例えば、予想データ量がデータ量閾値を下回る場合）、例えば、場合により、無線デバイスの無線状態が通常カバレッジモードに対応する場合であっても、無線デバイスは、ＣＥモードで動作するように判定し得る。
【００９０】
したがって、少なくともいくつかの実施形態によれば、無線デバイスのサービングセルによって提供されるカバレッジモードにおいて変更を要求又はトリガすることにより、無線デバイスとセルラネットワークとの通信の通信帯域幅を要求することができるシステムにおいて、図５に関して本明細書で説明されたのと類似のシグナリング技術を使用して、特定の通信帯域幅又は通信帯域幅範囲を要求できる。
【００９１】
加えて又はあるいは、このようなシステムにおいて、又はより一般的に他の可能な無線通信システムにおいて、特定の通信帯域幅又は通信帯域幅範囲を要求するために他のシグナリング技術を利用することもまた可能である。例えば、いくつかの実施形態によれば、無線デバイスは、例えば、特定の通信帯域幅若しくは通信帯域幅範囲のインジケータ又は要求として、次回の通信のその予想データ量を示すバッファステータスレポートをそのサービングセルに提供することができる。別の例では、無線デバイスが複数の可能な通信帯域幅モードから通信帯域幅モードを要求できるように設計された、メディアアクセス制御（ＭＡＣ）制御要素又はＲＲＣメッセージを定義することができ、無線デバイスは、このようなＭＡＣ制御要素又はＲＲＣメッセージをそのサービングセルに提供して、通信帯域幅モードを要求することができる。
【００９２】
通信帯域幅要求に基づいて、サービングセルは、要求された通信帯域幅を使用するように、及び／又は無線デバイスへのそのサービスが要求された通信帯域幅を使用するかを確認するように無線デバイスに対するサービスを構成することができる。例えば、１つの可能性として、帯域幅モード（及び／又はカバレッジモード）を構成及び確認するＲＲＣ接続再構成メッセージを通信帯域幅要求に応答して無線デバイスに提供してもよい。必要に応じて、要求された通信帯域幅の使用を確認するために、他のシグナリングメッセージ又は技術もまた、又はあるいは使用することができる。
【００９３】
６０６では、無線デバイスは、要求された通信帯域幅を使用して、サービングセルと通信できる。例えば、無線デバイスは、アップリンク通信を実行して、通信（communication）帯域幅を使用してセルラネットワークとの次回の通信のために無線デバイスでバッファされたデータを送信でき、及び／又はダウンリンク通信を実行して、通信帯域幅を使用してサービングセルを介してセルラネットワークからデータを受信できる。
【００９４】
様々な可能性として、要求された通信帯域幅は、アップリンク通信だけ、ダウンリンク通信だけ、又はアップリンク及びダウンリンク通信の両方に関し得ることに留意されたい。例えば、可変通信帯域幅が一方向のみで可能であるように、又は異なる通信方向では可能な通信帯域幅範囲が異なるように、及び／又は通信特性が様々な他の方法のいずれかで異なるように、異なる通信帯域幅がダウンリンク及びアップリンク通信に適している状況があり得、並びに／又は非対称アップリンク／ダウンリンク通信特性を有する通信システムがあり得る。
【００９５】
少なくとも一部の実施形態では、無線デバイスが特定の通信帯域幅モードに従ってそのサービングセルとのその通信リンクを構成する際に、無線デバイスもまた、関連付けられた帯域幅モードで動作するようにそのＲＦ回路を構成することができることに更に留意されたい。例えば、通信リンクが狭帯域通信リンク（例えば、特定の最大通信帯域幅を有する）として構成された場合、ＲＦ回路は、同様に、類似の帯域幅特性を有するモードで動作するように構成することができる。このようなＲＦ構成は、無線デバイスによる電力消費を低減するのを手助けすることができ、少なくとも一部の例では、ＲＦ回路は、広帯域通信を実行しているときは（又は場合によっては、実行するように構成されているときであっても）、狭帯域通信を実行しているときより、より多くの電力を消費し得る。
図７〜図８
【００９６】
ＬＴＥリリース１３に従って動作する例示的なセルラ通信システムにおける、可能な拡張カバレッジモードの可能な特性及びパラメータに関する図７〜図８及び以下の追加の情報は、図５〜図６の方法の更なる考察及び可能な実施詳細に示されているように提供され、本開示全体を制限することを意図するものではない。以下の本明細書で提供される詳細に対して多数の変形及び代替形態が、可能であり、本開示の範囲内と考えられるべきである。
【００９７】
３ＧＰＰリリース１３は、ＬＴＥセルカバレッジを通常カバレッジ及び拡張カバレッジとして定義している。拡張カバレッジは、通常カバレッジを超えるカバレッジであり、例えば、拡張カバレッジでは、ＲＳＲＰ測定値がＱｒｘｌｅｖｍｉｎ及びＱｑｕａｌｍｉｎに基づくセル選択基準より小さい。更に、拡張カバレッジは、例えば、異なるＲＳＲＰ閾値に基づいて、４レベル（０／１／２／３）を有するように定義され、各ＣＥレベルにおいて、それに関連付けられた対応するＰＲＡＣＨプリアンブルグループが存在する。つまり、ｅＮｏｄｅＢは、ランダムアクセスのためにＵＥによって使用されるＰＲＡＣＨプリアンブルがＰＲＡＣＨプリアンブルグループと関連付けられた特定のＣＥレベルに属することを検出することによって、ＵＥが拡張カバレッジにあるか及びどのＣＥレベルかを検出することができる。
【００９８】
１つの可能性として、通常カバレッジの基準を定義するために、セル選択基準Ｓ（Ｑｒｘｌｅｖｍｉｎ及びＱｑｕａｌｍｉｎ）がセルに対して満たされる場合、ＵＥは、通常カバレッジにあると見なされる。ＵＥが通常カバレッジにないが、拡張カバレッジのセル選択基準Ｓ（ＣＥ  ＳＩＢ１からのＱｒｘｌｅｖｍｉｎ＿ＣＥ及びＱｑｕａｌｍｉｎ＿ＣＥ）が満たされる場合、ＵＥは、拡張カバレッジにあると見なすことができる。
【００９９】
ＵＥが拡張カバレッジにある場合、拡張カバレッジのセル選択基準Ｓによるランク付けをセル内及びセル間再選択に適用することができる。
【０１００】
いくつかの実施形態によれば、複数のカバレッジ拡張（Coverage Enhancement、ＣＥ）レベルが定義され得る。例えば、拡張カバレッジは、ＣＥ  ＳＩＢ２によって提供されたＲＳＲＰ閾値によって定義された４レベルを有することができ、またこのレベルは、ＰＲＡＣＨ  ＣＥレベル０、１、２、及び３とも呼ばれる。いくつかの実施形態によれば、ＵＥがＣＥレベル０／１である場合、ＣＥモードＡと仮定するものとし、ＵＥがＣＥレベル２／３である場合、ＣＥモードＢと仮定するものとする。
【０１０１】
図７は、いくつかの実施形態に係る、セルの可能な通常カバレッジ及び拡張カバレッジ範囲の例を示す。図に示すように、通常カバレッジ範囲７０２において、無線状態は、一般的に、５Ｍｂｐｓ／１０Ｍｂｐｓの可能なアップリンク／ダウンリンクスループットを有する最大２０ＭＨｚの帯域幅を使用する広帯域通信をサポートするのに十分良好であり得る。拡張カバレッジ範囲７０４は、通常カバレッジ範囲よりも大きい場合があり（例えば、セルを提供する基地局から更に距離を延ばし得る）、場合により、無線状態が不十分なエリアを含んで、通常カバレッジ範囲の帯域幅及び／又はスループットレベルをサポートすることができる。しかし、拡張カバレッジ範囲７０４における無線状態は、例えば、少なくとも、拡張カバレッジモードと関連付けられた通信技術を使用した場合、１Ｍｂｐｓ／１Ｍｂｐｓの可能なアップリンク／ダウンリンクスループットを有する１．４ＭＨｚを使用する狭帯域通信をサポートするには十分であり得る。
【０１０２】
少なくとも図６に関して本明細書で前述したとおり、少なくとも一部の実施形態では、例えば、実際のカバレッジ状態に加えて、予想された次回のデータ量に少なくとも部分的に基づいて、より効率的に動作するように、このような異なるカバレッジモードの異なる通信帯域幅特性を利用することができる。したがって、図８は、いくつかの実施形態に係る、所望の通信帯域幅に少なくとも部分的に基づいて、通常及び拡張カバレッジ状態でのカバレッジモード間を動的に切り替えるための例示的な状態図を示す。
【０１０３】
図８の例示的なシナリオでは、無線デバイスは、アイドルモードで又は接続モードで、及びＣＥモード（例えば、ＣＥモードＡ）で又は通常カバレッジモードで動作することができる。無線デバイスは、状況次第では、通常カバレッジ状態のときであってもＣＥモードで動作することができるが、一般的には、拡張カバレッジ状態のときは通常カバレッジモードで動作することはできない。したがって、図８に示された可能な状態は、場合により節電するために低データ量を選択することができる、通常カバレッジ状態の間はアイドルモード及びＣＥモードで動作すること（８０２）と、通常カバレッジ状態の間は接続モード及びＣＥモードで動作すること（８０４）と、カバレッジ状態が許可している場合、高データ量を選択することができる、通常カバレッジ状態の間はアイドルモード及び通常カバレッジモードで動作すること（８０６）と、通常カバレッジ状態の間は接続モード及び通常カバレッジモードで動作すること（８０８）と、カバレッジ状態が拡張カバレッジには十分であるが通常カバレッジには不十分である場合、データ量にかかわらず選択することができる、拡張カバレッジ状態の間はアイドルモード及びＣＥモードで動作すること（８１０）と、拡張カバレッジ状態の間は接続モード及びＣＥモードで動作すること（８１２）と、を含むことができる。
【０１０４】
図に示すように、図８はまた、様々な示された状態である場合に示された状態間を遷移するために使用することができる種々のシグナリング技術も示す。シグナリング技術は、アイドルから接続モードに遷移する技術を含み、これは、ＲＲＣ接続を確立して、（通常又は拡張状態にかかわらず）アイドルＣＥ又は通常モードから接続ＣＥモードへと遷移するためにＣＥのＰＲＡＣＨプリアンブルを使用する、及びＲＲＣ接続を確立して、通常カバレッジ状態でのアイドル通常カバレッジモード又はアイドルＣＥモードから通常状態での接続通常モードへと遷移するために通常のＰＲＡＣＨプリアンブルを使用する、無線デバイスを含むことができる。接続モードからアイドルモードへと遷移する全ての場合について、接続解放メッセージは、サービングセルから無線デバイスに提供される場合があり、無線デバイスが通常モード又はＣＥモードであるかを変更することなく、接続モードからアイドルモードに無線デバイスを遷移させることができる。
【０１０５】
アイドル及びＣＥモードで動作する場合、通常カバレッジ状態又は拡張カバレッジ状態であるかにかかわらず、ネットワークは、ｍＰＤＣＣＨを使用してページングを実行することができ、一方、アイドル及び通常カバレッジモードで動作する場合、ネットワークは、ＰＤＣＣＨを使用してページングを実行することができる。図に示すように、無線デバイスは、通常カバレッジ状態にあるときのアイドル及び通常カバレッジモードから拡張カバレッジ状態にあるときのアイドル及びＣＥモードに遷移するように、ネットワークとの位置登録信号要求（ＴＡＵ）手順を実行することができ、例えば、拡張カバレッジ状態を考慮して、無線デバイスがページングメッセージをより良く受信することができるようにする。
【０１０６】
接続モードで動作する場合、無線デバイスは、通常カバレッジ状態のままであるか又は拡張カバレッジ状態に移動するかにかかわらず、（例えば、ページングのためにｍＰＤＣＣＨを使用するように構成するために）通常カバレッジモードからＣＥモードに遷移するように、ＲＲＣ再構成を実行することができる。同様に、無線デバイスは、既に通常カバレッジ状態であるか又は通常カバレッジ状態に移動するかにかかわらず、（例えば、ページングのためにＰＤＣＣＨを使用するように構成するために）ＣＥモードから通常カバレッジモードに遷移するように、ＲＲＣ再構成を実行することができる。また図に示すように、（通常又は拡張カバレッジ状態であるかにかかわらず）接続及びＣＥモードで動作する場合、ｍＰＤＣＣＨでＬ１制御を使用することができる。接続及び通常カバレッジモードで動作する場合、ＰＤＣＣＨでＬ１制御を使用することができる。
【０１０７】
以下の情報は、ＬＴＥリリース１３の拡張カバレッジモード特性及びパラメータの更なる可能な詳細を含み、これは、例証の目的のために提供され、本開示全体を制限することを意図するものではない。
【０１０８】
いくつかの実施形態によれば、無線デバイスは、ＬＴＥに関するそのデバイスカテゴリに従ってカテゴライズされ得る。例えば、カテゴリ１のＬＴＥデバイス、例えば、ＵＬカテゴリ１及びＤＬカテゴリ１であるデバイスについて考える。このようなデバイスにおいて、ｅ−ＨＡＲＱ−ｐａｔｔｅｒｎ−ＦＤＤ−ｒ１２パラメータは、例えば、４ＴＴＩバンドリング、３ＨＡＲＱプロセス、及び１２ミリ秒のラウンドトリップ時間（round trip time、ＲＴＴ）で、ＦＤＤのＴＴＩバンドリング動作のための拡張ＨＡＲＱパターンをＵＥがサポートするかどうかを定義することができる。ｃｅ−ＭｏｄｅＡ−ｒ１３パラメータは、ランダムアクセスにて、ＵＥがＣＥモードＡ並びにＰＲＡＣＨ  ＣＥレベルが０及び１での動作をサポートするかどうかを定義できる。ｉｎｔｒａＦｒｅｑＡ３−ＣＥ−ＭｏｄｅＡ−ｒ１３パラメータは、ＣＥモードＡで動作する場合に、ＵＥが通常カバレッジ及びＣＥモードＡにおいて近隣セル内に対するイベントＡ３をサポートするかどうかを定義できる。ｉｎｔｒａＦｒｅｑＨＯ−ＣＥ−ＭｏｄｅＡ−ｒ１３パラメータは、ＣＥモードＡで動作する場合に、ＵＥが通常カバレッジ及びＣＥモードＡにおいてターゲットセルにへのイントラハンドオーバをサポートするかどうかを定義できる。
【０１０９】
セルにより提供されたＭＩＢ内の新しい３２ｂｉｔ署名を使用して、ＣＥ  ＳＩＢ１がスケジュールされているか、並びにそのトランスポートブロックサイズ及び反復数を示すことができる。このような署名は、セルが３ＧＰＰ  Ｒ１３によって定義されたＣＥ機能をサポートすることを示すことができる。署名値が０は、ＣＥ機能がサポートされていないことを意味し得る。
【０１１０】
ＣＥ機能がセルにサポートされている場合、カバレッジ拡張のＣＥ  ＳＩＢ１がセルによって提供され得る。より大きなＳＩ窓長及び反復パターンをＣＥ  ＳＩＢに使用することができる。狭帯域（例えば、連続的に６ＰＲＢ）及びトランスポートブロックサイズもまた、ＣＥ  ＳＩＢに使用することができる。加えて、周波数ホッピング構成は、ＣＥ  ＳＩＢに使用され得る。カバレッジ拡張のためのＣＥ  ＳＩＢ２もまた提供され得る。ＣＥ  ＳＩＢは、ＣＥ  ＰＲＡＣＨ構成及びＣＥ  ｍＰＤＣＣＨ／ＰＤＳＣＨ／ＰＵＳＣＨ／ＰＣＨ共通構成を示すことができる。
【０１１１】
サービングセルによってサポートされた各ＣＥレベルは、ランダムアクセスプリアンブルの送信のための一組のＰＲＡＣＨリソースと関係付けることができる。ＵＥのＣＥレベルは、サービングセルＲＳＲＰ測定値及びＣＥ  ＳＩＢ２のｒｓｒｐ−ＴｈｒｅｓｈｏｌｄｓＰｒａｃｈＩｎｆｏＬｉｓｔに基づいて選択され得る。各ＣＥレベル当たりのプリアンブル送信試行の最大数（３／４／５／６／７／８／１０）は、ＣＥ  ＳＩＢ２によって提供され得る。各ＣＥレベルの試行当たりのプリアンブル送信に必要な反復数（１／２／４／８／１６／３２／６４／１２８）はまた、ＣＥ  ＳＩＢ２によって提供され得る。加えて、各ＣＥレベルにおけるＲＡＲのｍＰＤＣＣＨを監視するための狭帯域、ＲＡＲ、ｍｓｇ３、及びｍｓｇ４のｍＰＤＣＣＨ共通探索領域の反復回数、並びにＣＥレベル当たりのＲＡ応答窓サイズ及び競合解決タイマは全てＣＥ  ＳＩＢ２によって提供され得る。
【０１１２】
ＵＥが拡張カバレッジにある場合、その対応するＣＥレベルに基づいて、ランダムアクセスのＰＲＡＣＨプリアンブルを選択するものとする。ＵＥは、対応する反復数、ＲＡ＿ＲＮＴＩ、プリアンブルｉｎｄ、及び目標電力を有するプリアンブルを送信することができる。
【０１１３】
ＵＥが１つのＣＥレベルで最大数のランダムアクセス試行に失敗した場合、次のＣＥレベルでランダムアクセスに挑戦するものとする。
【０１１４】
ｍｓｇ３のＰＵＳＣＨ反復数は、ネットワークから受信したＲＡＲに示されてもよい。
【０１１５】
パラメータＰＵＣＣＨ−ＮｕｍＲｅｐｅｔｉｔｉｏｎＣＥは、ＣＥモードＡのためのＰＵＣＣＨフォーマット１／１ａ／２／２ａ／２ｂのためのＰＵＣＣＨ反復数を提供することができる。
【０１１６】
パラメータＰＵＣＣＨ−ｎｕｍＲｅｐｅｔｉｔｉｏｎＣＥ−ｍｓｇ４−ｌｅｖｅｌ０／１／２／３は、ＰＲＡＣＨ  ＣＥレベル０／１／２／３のためのｍｓｇ４を含むＰＤＳＨに、ＨＡＲＱ応答を運ぶＰＵＣＣＨの反復数を提供することができる。
【０１１７】
ＣＥモードでのあるページングオケージョン（paging occasion、ＰＯ）は、Ｐ−ＲＮＴＩがｍＰＤＣＣＨで送信されるサブフレームを含むことができる。サブフレームは、そのＩＭＳＩ、ＤＲＸサイクル、及びＣＥ  ＳＩＢ２において提供されるページング狭帯域の数（Ｎｎ）に基づいて、ＵＥによって決定され得る。
【０１１８】
例えば、ＣＥ  ＳＩＢ２においてパラメータｍＰＤＣＣＨ−ＮｕｍＲｅｐｅｔｉｔｉｏｎ−Ｐａｇｉｎｇ−Ｒ１３で定義されるように、ＰＯを運ぶｍＰＤＣＣＨを複数回繰り返すことができる。
【０１１９】
カバレッジ拡張（ＣＥ）レベルの情報は、ＵＥに利用可能であれば、ＥＣＭ＿ＩＤＬＥへの遷移時に、ｅＮＢからＭＭＥにサーブすることによって、それぞれのセル識別子と共に透過的に提供することができ、ページング中にＥ−ＵＴＲＡＮに提供することができる。ページング試行情報は、カバレッジ拡張レベルの情報が受信されたＵＥのための全てのページングされたｅＮＢに常に提供され得る。
【０１２０】
ページング試行情報がページングメッセージに含まれる場合、各ページングされたｅＮＢは、ページング試行中に同一情報を受信することができる。ページング試行カウントは、新しいページング試行毎に１ずつ増加することができる。次のページングエリアスコープは、存在する場合、ＭＭＥが次のページング試行に現在選択されているページングエリアを変更することを計画しているかどうかを示す。ＵＥがその移動状態をＥＣＭ  ＣＯＮＮＥＣＴＥＤに変更すると、ページング試行カウントがリセットされる。
【０１２１】
拡張カバレッジモードでのＰＵＳＣＨ送信は、ｍＰＤＣＣＨによって示されるＮ−サブフレームＴＴＩバンドル内であり得る。８／１６／３２の値を有するパラメータＰＵＳＣＨ−ｍａｘＮｕｍＲｅｐｅｔｉｔｉｏｎＣＥｍｏｄｅＡ−ｒ１３は、例えば、次の可能性｛１，２，４，８｝、｛１，４，８，１６｝、｛１，４，１６，３２｝の中のＣＥモードＡのＰＵＳＣＨ反復数の組を示すために最大値を示し得る。１９２／２５６／．．／２０４８の値を有するパラメータＰＵＳＣＨ−ｍａｘＮｕｍＲｅｐｅｔｉｏｎＣＥｍｏｄｅＢ−ｒ１３は、ＣＥモードＢのＰＵＳＣＨ反復数の組を示すために最大値を示し得る。いくつかの実施形態によれば、ＰＵＳＣＨ帯域幅は、６ＰＲＢに制限され得る。アップリンクＨＡＲＱ動作は、バンドル内での受信を除いて、拡張カバレッジにおいてＵＥと非同期であり得る。
【０１２２】
拡張カバレッジモードでのＰＤＳＣＨ送信は、ｍＰＤＣＣＨによって示されるＮ−サブフレームＴＴＩバンドル内であり得る。８／１６／３２の値を有するパラメータＰＤＳＣＨ−ｍａｘＮｕｍＲｅｐｅｔｉｏｎＣＥｍｏｄｅＡ−ｒ１３は、例えば、次の可能性｛１，２，４，８｝、｛１，４，８，１６｝、｛１，４，１６，３２｝の中のＣＥモードＡのＰＤＳＣＨ反復数の組を示すために最大値を示し得る。１９２／２５６／．．／２０４８の値を有するパラメータＰＤＳＣＨ−ｍａｘＮｕｍＲｅｐｅｔｉｏｎＣＥｍｏｄｅＢ−ｒ１３は、ＣＥモードＢのＰＤＳＣＨ反復数の組を示すために最大値を示し得る。いくつかの実施形態によれば、ＰＤＳＣＨ帯域幅は、６ＰＲＢに制限され得る。
【０１２３】
拡張カバレッジモードにおいて提供されるｍＰＤＣＣＨは、次の反復（repetitiion）レベル｛１，２，４，８，１６，３２，６４，１２８，２５６｝の中の反復レベルを利用することができる。ｍＰＤＣＣＨアグリゲーションレベルは、次のアグリゲーションレベル｛１，２，４，８，１６，１２，２４｝中であり得る。いくつかの実施形態によれば、ｍＰＤＣＣＨ帯域幅は、６ＰＲＢに制限され得る。
【０１２４】
ＶｏＬＴＥの既存のＮＷ構成は、１／２オーディオパケットバンドリング、ＴＢＳ２０８ビット／３２８ビット、セグメント１４４／１７６ビット、４ＨＡＲＱ送信に対して、ＰＵＳＣＨ  ４ＴＴＩＢ、４ＨＡＲＱ、ＨＡＲＱ  ＲＴＴ  １６ミリ秒を含み得る。４から７へのＨＡＲＱ送信の増加は、リンクバジェットゲインをもたらし得る（例えば、１つの可能性として、約２ｄＢ）。
【０１２５】
ＣＥモードＡでの可能なｍＰＤＣＣＨ／ＰＵＳＣＨ構成は、ＰＵＳＣＨ  ８ＴＴＩＢ、３ＨＡＲＱ、ＨＡＲＱ  ＲＴＴ  ２４ミリ秒、４反復のｍＰＤＣＣＨを含むことができる。１オーディオパケットバンドリングに対して、ＴＢＳ２０８ビット、セグメント１４４／１７６ビット、５／６／７ＨＡＲＱ送信を使用できる。２オーディオパケットバンドリングに対して、ＴＢＳ３２８ビット、セグメント１４４／１７６ビット、５／６／７ＨＡＲＱ送信を使用できる。１つの可能性として、これは、約４〜５ｄＢの潜在的ＵＬリンクバジェットゲインを提供することができる。
【０１２６】
ＣＥモードＡでの別の可能なｍＰＤＣＣＨ／ＰＵＳＣＨは、ＰＵＳＣＨ  ８ＴＴＩＢ、２ＨＡＲＱ、ＨＡＲＱ  ＲＴＴ  １６ミリ秒、２反復のｍＰＤＣＣＨを含むことができる。１オーディオパケットバンドリングに対して、ＴＢＳ２０８ビット、セグメント１４４／１７６ビット、ＨＡＲＱ８／９／１０送信を使用できる。２オーディオパケットバンドリングに対して、ＴＢＳ３２８ビット、セグメント１４４／１７６ビット、ＨＡＲＱ８／９／１０送信（tranmissions）を使用できる。１つの可能性として、これは、約６ｄＢ〜７ｄＢの潜在的ＵＬリンクバジェットゲインを提供することができる。
【０１２７】
ＣＥモードＡでの別の可能なｍＰＤＣＣＨ／ＰＵＳＣＨは、ＰＵＳＣＨ  ４ＴＴＩＢ、３ＨＡＲＱ、ＨＡＲＱ  ＲＴＴ  １２ミリ秒、２反復のｍＰＤＣＣＨを含むことができる。１オーディオパケットバンドリングに対して、ＴＢＳ２０８ビット、セグメント１４４／１７６ビット、ＨＡＲＱ１０／１１／１２送信を使用できる。２オーディオパケットバンドリングに対して、ＴＢＳ３２８ビット、セグメント１４４／１７６ビット、ＨＡＲＱ１０／１１／１２送信を使用できる。１つの可能性として、これは、約４ｄＢ〜５ｄＢの潜在的ＵＬリンクバジェットゲインを提供することができる。
【０１２８】
カテゴリ１以上のＵＥについて、通常カバレッジを超えたカバレッジにある場合、圏外（out-of-service、ＯＯＳ）に行かないようにするために、無線デバイスは、ｅＮｏｄｅＢによってサポートされている場合、カバレッジ拡張機能を動的に利用できる場合がある。
このような技術の一部として、セルがキャンプオンするためのサービングセルとして選択された場合、ＵＥは、ＣＥ署名がＭＩＢに存在するかチェックすることによって、セルが３ＧＰＰ  Ｒ１３カバレッジ拡張機能をサポートするかを決定することができる。ＣＥがサービングセルでサポートされている場合、ＵＥは、ＣＥレベル閾値、ＣＥ  ＰＲＡＣＨ、及びｍＰＤＣＣＨ構成のためのＣＥ  ＳＩＢを記憶することができる。
【０１２９】
アイドルモードである場合、サービングセル測定値に基づいて、ＵＥは、それが通常カバレッジ又は拡張カバレッジ及びその対応するＣＥレベルにあるかを判定することができる。ＵＥが通常カバレッジから拡張カバレッジに入ると、ＵＥは、ＣＥ  ＳＩＢからの構成情報を使用して、モビリティ管理接続を確立（ＴＡＵを実行又は任意の他のＭＭメッセージを送信）して、そのＭＭＥをＣＥモードアイドルページングに切り替えるように更新することができる。ＵＥは、アイドルページングのｍＰＤＣＣＨをリッスンするように切り替えることができる。ＭＭＥが最終的にＵＥをページングすると、ＭＭＥは、ＵＥのＣＥレベル情報及びページング試行カウント情報をｅＮｏｄｅＢのグループに送信することができる。したがって、グループ内の各ｅＮｏｄｅＢは、ＵＥが拡張カバレッジにある場合、ｍＰＤＣＣＨでＵＥをページングするよう判定することができ、そうでなければ、ＰＤＣＣＨでＵＥをページングすることができる。加えて、ＵＥのセル内／セル間再選択は、（例えば、通常カバレッジのセル選択基準Ｓの代わりに）拡張カバレッジのセル選択基準Ｓに基づき得る。
【０１３０】
ＵＥが拡張カバレッジから通常カバレッジに入ると、ＵＥは、アイドルページングのｍＰＤＣＣＨをリッスンし続けることができ、又はモビリティ管理接続を確立（例えば、ＴＡＵを実行）して、ＭＭＥを通常モードアイドルページングに切り替えるように更新することができ、この場合には、ＵＥは、アイドルページングのＰＤＣＣＨをリッスンするように切り替えることができる。加えて、そのセル内／セル間再選択は、（例えば、拡張カバレッジのセル選択基準Ｓの代わりに）通常カバレッジのセル選択基準Ｓに基づき得る。
【０１３１】
ＲＲＣ接続を確立するときに、ＵＥが通常カバレッジにある場合、ランダムアクセス手順を実行するために通常カバレッジのＰＲＡＣＨプリアンブルを選択することができる。ＵＥが拡張カバレッジにある場合、ランダムアクセス手順を実行するために対応する拡張カバレッジレベルからＰＲＡＣＨプリアンブルを選択することができる。
【０１３２】
ＲＲＣ接続を出るときに、ＵＥが通常カバレッジにある場合、通常カバレッジ内のアイドルモードに入り、通常ＳＩＢを読み取り、アイドルページングのＰＤＣＣＨをリッスンすることができる。ＵＥが拡張カバレッジにある場合、拡張カバレッジ内のアイドルモードに入り、ＣＥ  ＳＩＢを読み取り、アイドルページングのｍＰＤＣＣＨをリッスンすることができる。
【０１３３】
ＲＲＣ接続中、ＵＥが通常カバレッジから拡張カバレッジに入ると、ＵＥは、その対応するＣＥレベルからＰＲＡＣＨプリアンブルを使用して、ＲＲＣ接続を再確立することができる。又は、あるいは、ＮＷは、例えば、ＵＥがトリガした測定レポートに基づいて、ｍＰＤＣＣＨを使用するようにＲＲＣ接続を再構成することができる。ＵＥが拡張カバレッジから通常カバレッジに入ると、ＵＥは、通常カバレッジのＰＲＡＣＨプリアンブルを使用して、ＲＲＣ接続を再確立することができる。又は、あるいは、ＮＷは、例えば、ＵＥがトリガした測定レポートに基づいて、ＰＤＣＣＨを使用するようにＲＲＣ接続を再構成することができる。ＮＷは、拡張カバレッジ内のセルから通常カバレッジ内のセルへ、又は通常カバレッジ内のセルから拡張カバレッジ内のセルへ、ＮＷがトリガしたＨＯを実行することができる。ＵＥは、拡張カバレッジ内のセルから通常カバレッジ内のセルへ、又は通常カバレッジ内のセルから拡張カバレッジ内のセルへ、ＲＲＣ再構成をトリガすることができる。
【０１３４】
更なる例示的な実施形態が以下に提供される。
【０１３５】
一組の実施形態は、セルラネットワークと関連付けられたサービングセルへ接続することと、セルラネットワークとの次回の通信のデータ量を判定することと、要求された通信帯域幅のインジケーションをサービングセルに提供することと、要求された通信帯域幅を使用して、サービングセルとデータを通信することと、を含む、無線デバイスの方法を含むことができる。
【０１３６】
いくつかの実施形態によれば、本方法は、データ量がデータ量閾値を超えているかを判定することを更に含む。
【０１３７】
いくつかの実施形態によれば、要求された通信帯域幅のインジケーションは、セルラネットワークとの次回の通信のデータ量を示すバッファステータスレポートを含む。
【０１３８】
いくつかの実施形態によれば、要求された通信帯域幅のインジケーションは、複数の可能な通信帯域幅モードから通信帯域幅モードを要求するメディアアクセス制御（ＭＡＣ）制御要素又は無線リソース制御（ＲＲＣ）メッセージを含む。
【０１３９】
いくつかの実施形態によれば、要求された通信帯域幅のインジケーションは、広帯域通信帯域幅の要求又は狭帯域通信帯域幅の要求のうちの１つを含む。
【０１４０】
いくつかの実施形態によれば、本方法は、要求された通信帯域幅のインジケーションを提供することに少なくとも部分的に基づいて、狭帯域通信モード又は広帯域通信モードで動作するように無線デバイスのＲＦ回路を構成することを更に含む。
【０１４１】
いくつかの実施形態によれば、広帯域通信帯域幅を使用して、サービングセルとデータを通信することは、通常カバレッジモードで動作することを含み、狭帯域通信帯域幅を使用して、サービングセルとデータを通信することは、カバレッジ拡張モードで動作することを含む。
【０１４２】
別の一組の実施形態は、セルラネットワークと関連付けられたサービングセルへ接続することと、サービングセルが通常カバレッジモード及びカバレッジ拡張（ＣＥ）モードをサポートすることを判定することと、無線デバイスの無線状態が通常カバレッジモード又はＣＥモードに対応するかどうかを判定することと、セルラネットワークとの次回の通信のデータ量を判定することと、無線状態及びデータ量に少なくとも部分的に基づいて、通常カバレッジモード又はＣＥモードで動作するかどうかを判定することと、サービングセルにインジケーションを提供して、無線デバイスに対する判定されたモードを有効にすることと、を含む、無線デバイスの方法を含むことができる。
【０１４３】
いくつかの実施形態によれば、本方法は、無線デバイスの無線状態が通常カバレッジモードに対応し、かつセルラネットワークとの次回の通信のデータ量がデータ量閾値を超えている場合、通常カバレッジモードで動作するように判定することと、無線デバイスの無線状態がＣＥモードに対応する、又はセルラネットワークとの次回の通信のデータ量がデータ量閾値を下回る場合、ＣＥモードで動作するように判定することと、を更に含む。
【０１４４】
いくつかの実施形態によれば、本方法は、ＣＥモードが有効である場合、狭帯域通信モードで動作するように無線デバイスのＲＦ回路を構成することと、通常カバレッジモードが有効である場合、広帯域通信モードで動作するように無線デバイスのＲＦ回路を構成することと、を更に含む。
【０１４５】
いくつかの実施形態によれば、データ量を判定することは、無線デバイスにて１つ以上のタイプの現在のデータアクティビティを判定することを含む。
【０１４６】
更なる一組の実施形態は、基地局により提供されたサービングセルにキャンプオンすることと、サービングセルが通常カバレッジモード及びカバレッジ拡張（ＣＥ）モードをサポートすることを判定することと、無線デバイスの無線状態が通常カバレッジモードに対応することを判定することと、無線デバイスの無線状態が通常カバレッジモードに対応することを判定することに少なくとも部分的に基づいて、通常カバレッジモードで動作することと、無線デバイスの無線状態がＣＥモードに対応するように変化したことを判定することと、無線デバイスの無線状態がＣＥモードに対応するように変化したことを判定することに少なくとも部分的に基づいて、基地局にインジケーションを提供して、無線デバイスに対するＣＥモードを有効にすることと、を含む、無線デバイスの方法を含むことができる。
【０１４７】
いくつかの実施形態によれば、無線デバイスの無線状態がＣＥモードに対応するように変化したことを判定すること、及び基地局にインジケーションを提供して、無線デバイスに対するＣＥモードを有効にすることは、無線デバイスがアイドルモードにある間に実行される。
【０１４８】
いくつかの実施形態によれば、無線デバイスの無線状態がＣＥモードに対応するように変化したことを判定すること、及び基地局にインジケーションを提供して、無線デバイスに対するＣＥモードを有効にすることは、無線デバイスが接続モードにある間に実行される。
【０１４９】
いくつかの実施形態によれば、基地局にインジケーションを提供して、無線デバイスに対するＣＥモードを有効にすることは、ＣＥモードと関連付けられた物理的ランダムアクセスチャネルプリアンブルを使用して、ランダムアクセスチャネル手順を実行することを含む。
【０１５０】
いくつかの実施形態によれば、基地局にインジケーションを提供して、無線デバイスに対するＣＥモードを有効にすることは、基地局に、通常カバレッジモードで動作する場合とは異なる制御チャネルを使用して、アイドルモードページングを実行させる。
【０１５１】
いくつかの実施形態によれば、サービングセルは、セルラネットワークと関連付けられており、セルラネットワークは、モビリティ管理エンティティを更に含み、本方法は、無線デバイスの無線状態がＣＥモードに対応するように変化したことを判定することに少なくとも部分的に基づいて、モビリティ管理エンティティにインジケーションを提供して、無線デバイスに対するＣＥモードを有効にすることを更に含む。
【０１５２】
いくつかの実施形態によれば、本方法は、無線デバイスの無線状態が通常カバレッジモードに対応する第１の範囲内である場合、通常カバレッジモードと関連付けられた制御チャネルを監視することと、無線デバイスの無線状態がＣＥモードに対応する第２の範囲内である場合、ＣＥモードと関連付けられた制御チャネルを監視することと、無線デバイスの無線状態が第１の範囲と第２の範囲との間の範囲内である場合、通常カバレッジモードと関連付けられた制御チャネル及びＣＥモードと関連付けられたページングチャネルの両方を監視することと、を更に含む。
【０１５３】
いくつかの実施形態によれば、本方法は、基地局にインジケーションを提供して、ＣＥモードと関連付けられた制御チャネルを使用して、常にアイドルモードページングを実行することと、無線デバイスの無線状態が通常カバレッジモードに対応する場合、及び無線デバイスの無線状態がＣＥモードに対応する場合の両方において、ＣＥモードと関連付けられた制御チャネルを監視することと、を更に含む。
【０１５４】
いくつかの実施形態によれば、本方法は、無線デバイスの無線状態が通常カバレッジモードに対応するように変化したことを判定することと、無線デバイスの無線状態が通常カバレッジモードに対応するように変化したことを判定することに少なくとも部分的に基づいて、基地局にインジケーションを提供して、無線デバイスに対する通常カバレッジモードを有効にすることと、を更に含む。
【０１５５】
更なる例示的な一組の実施形態は、デバイスに、前述の実施例の任意の又は全ての部分を実施させるように構成されている処理要素を含む、装置を含むことができる。
【０１５６】
別の例示的な一組の実施形態は、アンテナと、アンテナと連結された無線機と、無線機に動作可能に連結された処理要素と、を備える、無線デバイスを含むことができ、このデバイスは、前述の実施例の任意の又は全ての部分を実施するように構成されている。
【０１５７】
更なる例示的な一組の実施形態は、デバイスで実行された際に、デバイスに、前述の実施例のいずれかの任意の又は全ての部分を実施させるプログラム命令を含む、非一時的コンピュータアクセス可能記憶媒体を含むことができる。
【０１５８】
実施形態の更なる例示的な組は、前述の実施例のいずれかの任意の又は全ての部分を実行する命令を含む、コンピュータプログラムを含むことができる。
【０１５９】
実施形態のまた別の例示的な組は、前述の実施例のいずれかの任意の又は全ての要素を実行する手段を備える、装置を含むことができる。
【０１６０】
上述の例示的な実施形態に加えて、本開示の更なる実施形態は、様々な形態のいずれかで実現することができる。例えば、いくつかの実施形態は、コンピュータにより実行される方法、コンピュータ可読記憶媒体、又はコンピュータシステムとして実現することができる。他の実施形態は、ＡＳＩＣなどのカスタム設計されたハードウェアデバイスの１つ以上を使用して、実現することができる。更なる他の実施形態は、ＦＰＧＡなどの１つ以上のプログラム可能なハードウェア要素を使用して実現されてもよい。
【０１６１】
一部の実施形態では、非一時的コンピュータ可読記憶媒体は、プログラム命令及び／又はデータを記憶するように構成することができ、プログラム命令は、コンピュータシステムによって実行される場合には、コンピュータシステムに、方法、例えば、本明細書で説明された方法の実施形態のうちのいずれか若しくは本明細書で説明された方法の実施形態の任意の組み合わせ、又は本明細書で説明された方法の実施形態のうちのいずれかの任意のサブセット若しくはこのようなサブセットの任意の組み合わせを実行させる。
【０１６２】
一部の実施形態では、デバイス（例えば、ＵＥ１０６又は１０７）は、プロセッサ（又はプロセッサのセット）及び記憶媒体を含むように構成してもよい。ここで、記憶媒体は、プログラム命令を記憶し、プロセッサは、記憶媒体からプログラム命令を読み込み、実行するように構成されている。プログラム命令は、本明細書に記載された種々の方法の実施形態の任意のもの（又は、本明細書に記載された方法の実施形態の任意の組み合わせ、又は、本明細書に記載された方法の実施形態のいずれかの任意のサブセット、又は、このようなサブセットの任意の組み合わせ）を実行するために実行可能である。デバイスは、様々な形態のいずれかで実現されてもよい。
【０１６３】
上述の実施形態は十分に詳細に記載されているが、上述の開示が十分に理解されれば、当業者には数多くの変形形態及び修正形態が明らかとなるであろう。以下の特許請求の範囲は、そのような変形形態及び修正形態の全てを包含すると解釈されることを意図している。
【図１】
2019531013.tif 000003
【図２】
2019531013.tif 000004
【図３】
2019531013.tif 000005
【図４】
2019531013.tif 000006
【図５】
2019531013.tif 000007
【図６】
2019531013.tif 000008
【図７】
2019531013.tif 000009
【図８】
2019531013.tif 000010
【手続補正書】
【提出日】平成30年7月3日(2018.7.3)
【手続補正１】
【補正対象書類名】明細書
【補正対象項目名】０００３
【補正方法】変更
【補正の内容】
【０００３】
モバイル電子デバイスは、一般的にユーザが持ち運ぶスマートフォン又はタブレットの形態をとることがある。ウェアラブルデバイス（アクセサリデバイスとも呼ばれる）は、モバイル電子デバイスのより新たな形態であり、１つの例がスマートウォッチである。加えて、定置又は移動性の配備を意図した低コストで複雑性の低い無線デバイスはまた、「モノのインターネット」の展開の一部として急増している。このようなデバイスの多くは、無線通信機能が比較的制限されており、典型的には、スマートフォン及びタブレットなどの大きなポータブルデバイスよりも小さいバッテリを有している。一般的に、このようなデバイスの比較的制限された無線通信機能を認識して、サポートを提供することが望ましい。それゆえ、この分野における改善が望まれる。国際公開第２０１２／１５４０９５（Ａ１）号は、基地局によってサービスされるセル内のユーザ装置からの狭帯域送信のスケジューリングを取り扱うための基地局における方法について開示している。基地局は、スケジューリングに利用可能なサブフレームの中からサブフレームを選択する。狭帯域送信は、選択されたサブフレームへのスケジューリングのために優先される。ユーザ装置からの送信が狭帯域送信であるというインジケーションを得た場合、基地局は、選択されたサブフレーム内の利用可能なリソースブロックのサブセットへの送信をスケジュールする。
【手続補正２】
【補正対象書類名】明細書
【補正対象項目名】０００４
【補正方法】変更
【補正の内容】
【０００４】
本発明は、添付の独立請求項で定義される。本発明の実施形態は、従属請求項で定義される。本明細書における以下での単語「実施形態」の使用は、添付の特許請求の範囲によって他に定義されていない限り、単に実施例又は例示的な実施形態を示すことを意図しているだけである。したがって、本発明の範囲は、添付の請求項によって定義される。通常カバレッジモードと拡張カバレッジモードとの間を動的に変更するため、及び無線通信システム内で無線デバイスによって使用される通信帯域幅を動的に変更するための、特に、システム、装置、及び方法の実施形態が本明細書に提示される。
【手続補正３】
【補正対象書類名】明細書
【補正対象項目名】００１０
【補正方法】変更
【補正の内容】
【００１０】
この発明の概要は、この文書に記載された主題のいくつかの簡単な概要を提供することを意図している。したがって、上述の特徴は、単なる例に過ぎず、いかなる方式でも、本明細書で説明される主題の範囲を制限するものとして解釈するべきではないことが、理解されるであろう。本主題の他の特徴、態様、及び利点について、逆に、その意図は、添付の特許請求の範囲で定義される本主題の範囲に収まる、全ての修正、均等物、及び代替物を包含することである。
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
セルラネットワークと関連付けられたサービングセルへ接続することと、
前記セルラネットワークとの次回の通信のデータ量を判定すること（６０２）と、
１つ以上のカバレッジ拡張（ＣＥ）モードが動作している間に、
要求されたアップリンク通信帯域幅のインジケーションを前記サービングセルに提供することであって、前記要求されたアップリンク通信帯域幅の前記インジケーションは、複数の可能なアップリンク通信帯域幅モードから通信帯域幅モードを要求する無線リソース制御（ＲＲＣ）メッセージを含み、前記アップリンク通信帯域幅モードは、最大アップリンク通信帯域幅を指定し、前記複数の可能なアップリンク通信帯域幅モードのうちの少なくとも１つの前記最大アップリンク通信帯域幅は、１．４ＭＨｚを含む、ことと、
要求されたダウンリンク通信帯域幅のインジケーションを前記サービングセルに提供することであって、前記要求されたダウンリンク通信帯域幅の前記インジケーションは、複数の可能なダウンリンク通信帯域幅モードから通信帯域幅モードを要求するＲＲＣメッセージを含み、前記ダウンリンク通信帯域幅モードは、最大ダウンリンク通信帯域幅を指定し、前記複数の可能なダウンリンク通信帯域幅モードのうちの少なくとも１つの前記最大ダウンリンク通信帯域幅は、１．４ＭＨｚを含む、ことと、
前記要求された通信帯域幅を使用して、前記サービングセルとデータを通信すること（６０６）と、を含む、無線デバイス（１０７）の方法。
【請求項２】
前記データ量がデータ量閾値を超えているかを判定することを更に含む、請求項１に記載の方法。
【請求項３】
前記１つ以上のＣＥモードのうちの１つが有効である場合、狭帯域通信モードで動作するように前記無線デバイス（１０７）のＲＦ回路（３３０）を構成することを更に含む、請求項１又は２に記載の方法。
【請求項４】
前記データ量を判定すること（６０２）は、前記無線デバイス（１０７）にて１つ以上のタイプの現在のデータアクティビティを判定することを含む、請求項１から３のいずれか一項に記載の方法。
【請求項５】
前記サービングセルへの前記インジケーションは、前記セルラネットワークとの次回の通信の前記データ量を示すバッファステータスレポートを含む、請求項１から４のいずれか一項に記載の方法。
【請求項６】
前記要求されたダウンリンク通信帯域幅は、無線状態に少なくとも部分的に基づき、
前記要求されたアップリンク通信帯域幅は、無線状態に少なくとも部分的に基づく、請求項１から５のいずれか一項に記載の方法。
【請求項７】
前記要求されたダウンリンク通信帯域幅は、バッテリレベル又は充電状態に少なくとも部分的に基づき、
前記要求されたアップリンク通信帯域幅は、バッテリレベル又は充電状態に少なくとも部分的に基づく、請求項１から６のいずれか一項に記載の方法。
【請求項８】
請求項１から７のいずれか一項に記載の方法を実施するように構成されている手段を含む、無線デバイス（１０７）。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
無線デバイスに、
セルラネットワークと関連付けられたサービングセルへ接続させ、
複数のアップリンク通信帯域幅モードから、好ましい第１のアップリンク通信帯域幅モードであって、前記好ましい第１のアップリンク通信帯域幅モードは、前記サービングセルへの物理的アップリンク共有チャネル（ＰＵＳＣＨ）の第１の最大アップリンク帯域幅を含み、前記複数のアップリンク通信帯域幅モードのうちの少なくとも１つは、１．４ＭＨｚの最大アップリンク通信帯域幅を含む、前記好ましい第１のアップリンク通信帯域幅モードを判定させ、
複数のダウンリンク通信帯域幅モードから、好ましい第１のダウンリンク通信帯域幅モードであって、前記好ましい第１のダウンリンク通信帯域幅モードは、前記サービングセルへの物理的ダウンリンク共有チャネル（ＰＤＳＣＨ）の第１の最大ダウンリンク帯域幅を含み、前記複数の可能なダウンリンク通信帯域幅モードのうちの少なくとも１つは、１．４ＭＨｚの最大ダウンリンク通信帯域幅を含む、前記好ましい第１のダウンリンク通信帯域幅モードを判定させ、
前記好ましい第１のアップリンク通信帯域幅モードの第１のインジケーション及び前記好ましい第１のダウンリンク帯域幅モードの第２のインジケーションを含む、無線リソース制御（ＲＲＣ）メッセージを前記サービングセルへと送信させ、
前記好ましい第１のアップリンク帯域幅及び前記好ましい第１のダウンリンク帯域幅を使用して、前記サービングセルとデータを通信させるように構成されている、処理要素を備える、装置。
【請求項２】
前記処理要素は、前記無線デバイスに、
前記セルラネットワークへの接続後の動作の接続モードにおいて、第２のアップリンク帯域幅モード及び第２のダウンリンク帯域幅モードであって、前記第２のアップリンク帯域幅モード及び前記第２のダウンリンク帯域幅モードは、それぞれ、１．４ＭＨｚの前記最大アップリンク通信帯域幅及び１．４ＭＨｚの前記最大ダウンリンク通信帯域幅に制限されている、前記第２のアップリンク帯域幅モード及び前記第２のダウンリンク帯域幅モードにおいて、基地局と通信させ、
動作のアイドルモードにおいて、前記第２のモードに従う狭帯域物理的制御チャネルを使用して、ページングインジケーションを受信させるように更に構成されている、請求項１に記載の装置。
【請求項３】
前記処理要素は、前記無線デバイスに、
前記セルラネットワークとの次回の通信のデータ量を判定させるように更に構成されており、前記好ましい第１のアップリンク通信帯域幅モード及び前記好ましい第１のダウンリンク通信帯域幅モードの前記判定は、前記データ量に基づく、請求項１に記載の装置。
【請求項４】
前記処理要素は、前記無線デバイスに、
前記セルラネットワークとの通信の現在の無線状態を判定させるように更に構成されており、前記好ましい第１のアップリンク通信帯域幅モード及び前記好ましい第１のダウンリンク通信帯域幅モードの前記判定は、前記現在の無線状態に基づく、請求項１に記載の装置。
【請求項５】
前記処理要素は、前記無線デバイスに、
バッテリ電力レベル又は充電状態のうちの１つ以上を判定させるように更に構成されており、前記好ましい第１のアップリンク通信帯域幅モード及び前記好ましい第１のダウンリンク通信帯域幅モードの前記判定は、前記バッテリ電力レベル又は前記充電状態のうちの前記１つ以上に基づく、請求項１に記載の装置。
【請求項６】
前記処理要素は、前記無線デバイスに、
カバレッジモードの変更を判定させるように更に構成されており、前記カバレッジモードの変更の前記判定は、最大アップリンク通信帯域幅又は最大ダウンリンク通信帯域幅のうちの少なくとも１つの変更を引き起こす、請求項１に記載の装置。
【請求項７】
最大アップリンク通信帯域幅又は最大ダウンリンク通信帯域幅のうちの少なくとも１つは、カバレッジモードとは別々に構成されている、請求項１に記載の装置。
【請求項８】
ユーザ装置デバイス（ＵＥ）であって、
無線機と、
前記無線機に動作可能に連結され、前記ＵＥに、
セルラネットワークと関連付けられたサービングセルへ接続させ、
複数のアップリンク通信帯域幅モードから、好ましい第１のアップリンク通信帯域幅モードであって、前記好ましい第１のアップリンク通信帯域幅モードは、前記サービングセルへの物理的アップリンク共有チャネル（ＰＵＳＣＨ）の第１の最大アップリンク帯域幅を含み、前記複数のアップリンク通信帯域幅モードのうちの少なくとも１つは、１．４ＭＨｚの最大アップリンク通信帯域幅を含む、前記好ましい第１のアップリンク通信帯域幅モードを判定させ、
複数のダウンリンク通信帯域幅モードから、好ましい第１のダウンリンク通信帯域幅モードであって、前記好ましい第１のダウンリンク通信帯域幅モードは、前記サービングセルへの物理的ダウンリンク共有チャネル（ＰＤＳＣＨ）の第１の最大ダウンリンク帯域幅を含み、前記複数の可能なダウンリンク通信帯域幅モードのうちの少なくとも１つは、１．４ＭＨｚの最大ダウンリンク通信帯域幅を含む、前記好ましい第１のダウンリンク通信帯域幅モードを判定させ、
前記好ましい第１のアップリンク通信帯域幅モードの第１のインジケーション及び前記好ましい第１のダウンリンク帯域幅モードの第２のインジケーションを含む、無線リソース制御（ＲＲＣ）メッセージを前記サービングセルへと送信させ、
前記好ましい第１のアップリンク帯域幅及び前記好ましい第１のダウンリンク帯域幅を使用して、前記サービングセルとデータを通信させるように構成されている、処理要素と、を備える、ＵＥ。
【請求項９】
前記処理要素は、前記ＵＥに、
前記セルラネットワークへの接続後の動作の接続モードにおいて、第２のアップリンク帯域幅モード及び第２のダウンリンク帯域幅モードであって、前記第２のアップリンク帯域幅モード及び前記第２のダウンリンク帯域幅モードは、それぞれ、１．４ＭＨｚの前記最大アップリンク通信帯域幅及び１．４ＭＨｚの前記最大ダウンリンク通信帯域幅に制限されている、前記第２のアップリンク帯域幅モード及び前記第２のダウンリンク帯域幅モードにおいて、基地局と通信させ、
動作のアイドルモードにおいて、前記第２のモードに従う狭帯域物理的制御チャネルを使用して、ページングインジケーションを受信させるように更に構成されている、請求項８に記載のＵＥ。
【請求項１０】
前記処理要素は、前記ＵＥに、
前記セルラネットワークとの次回の通信のデータ量を判定させるように更に構成されており、前記好ましい第１のアップリンク通信帯域幅モード及び前記好ましい第１のダウンリンク通信帯域幅モードの前記判定は、前記データ量に基づく、請求項８に記載のＵＥ。
【請求項１１】
前記処理要素は、前記ＵＥに、
前記セルラネットワークとの通信の現在の無線状態を判定させるように更に構成されており、前記好ましい第１のアップリンク通信帯域幅モード及び前記好ましい第１のダウンリンク通信帯域幅モードの前記判定は、前記現在の無線状態に基づく、請求項８に記載のＵＥ。
【請求項１２】
前記処理要素は、前記ＵＥに、
バッテリ電力レベル又は充電状態のうちの１つ以上を判定させるように更に構成されており、前記好ましい第１のアップリンク通信帯域幅モード及び前記好ましい第１のダウンリンク通信帯域幅モードの前記判定は、前記バッテリ電力レベル又は前記充電状態のうちの前記１つ以上に基づく、請求項８に記載のＵＥ。
【請求項１３】
前記処理要素は、前記ＵＥに、
カバレッジモードの変更を判定させるように更に構成されており、前記カバレッジモードの変更の前記判定は、最大アップリンク通信帯域幅又は最大ダウンリンク通信帯域幅のうちの少なくとも１つの変更を引き起こす、請求項８に記載のＵＥ。
【請求項１４】
最大アップリンク通信帯域幅又は最大ダウンリンク通信帯域幅のうちの少なくとも１つが、カバレッジモードとは別々に構成されている、請求項８に記載のＵＥ。
【請求項１５】
ユーザ装置デバイス（ＵＥ）を動作させる方法であって、
前記ＵＥにて、
セルラネットワークと関連付けられたサービングセルへ接続することと、
複数のアップリンク通信帯域幅モードから好ましい第１のアップリンク通信帯域幅モードを判定することであって、前記好ましい第１のアップリンク通信帯域幅モードは、前記サービングセルへの物理的アップリンク共有チャネル（ＰＵＳＣＨ）の第１の最大アップリンク帯域幅を含み、前記複数のアップリンク通信帯域幅モードのうちの少なくとも１つは、１．４ＭＨｚの最大アップリンク通信帯域幅を含む、ことと、
複数のダウンリンク通信帯域幅モードから好ましい第１のダウンリンク通信帯域幅モードを判定することであって、前記好ましい第１のダウンリンク通信帯域幅モードは、前記サービングセルへの物理的ダウンリンク共有チャネル（ＰＤＳＣＨ）の第１の最大ダウンリンク帯域幅を含み、前記複数の可能なダウンリンク通信帯域幅モードのうちの少なくとも１つは、１．４ＭＨｚの最大ダウンリンク通信帯域幅を含む、ことと、
前記好ましい第１のアップリンク通信帯域幅モードの第１のインジケーション及び前記好ましい第１のダウンリンク帯域幅モードの第２のインジケーションを含む無線リソース制御（ＲＲＣ）メッセージを前記サービングセルへと送信することと、
前記好ましい第１のアップリンク帯域幅及び前記好ましい第１のダウンリンク帯域幅を使用して、前記サービングセルとデータを通信することと、を含む、方法。
【請求項１６】
前記方法は、
前記セルラネットワークへの接続後の動作の接続モードにおいて、第２のアップリンク帯域幅モード及び第２のダウンリンク帯域幅モードにおいて、基地局と通信することであって、前記第２のアップリンク帯域幅モード及び前記第２のダウンリンク帯域幅モードは、それぞれ、１．４ＭＨｚの前記最大アップリンク通信帯域幅及び１．４ＭＨｚの前記最大ダウンリンク通信帯域幅に制限されている、ことと、
動作のアイドルモードにおいて、前記第２のモードに従う狭帯域物理的制御チャネルを使用して、ページングインジケーションを受信することと、を更に含む、請求項１５に記載の方法。
【請求項１７】
前記方法は、
前記セルラネットワークとの次回の通信のデータ量を判定することを更に含み、前記好ましい第１のアップリンク通信帯域幅モード及び前記好ましい第１のダウンリンク通信帯域幅モードの前記判定は、前記データ量に基づく、請求項１５に記載の方法。
【請求項１８】
前記方法は、
前記セルラネットワークとの通信の現在の無線状態を判定することを更に含み、前記好ましい第１のアップリンク通信帯域幅モード及び前記好ましい第１のダウンリンク通信帯域幅モードの前記判定は、前記現在の無線状態に基づく、請求項１５に記載の方法。
【請求項１９】
前記方法は、
バッテリ電力レベル又は充電状態のうちの１つ以上を判定することを更に含み、前記好ましい第１のアップリンク通信帯域幅モード及び前記好ましい第１のダウンリンク通信帯域幅モードの前記判定は、前記バッテリ電力レベル又は前記充電状態のうちの前記１つ以上に基づく、請求項１５に記載の方法。
【請求項２０】
前記第１の最大アップリンク帯域幅及び前記第１の最大ダウンリンク帯域幅が異なる、請求項１５に記載の方法。
【国際調査報告】
2019531013.tif 000011
2019531013.tif 000012
2019531013.tif 000013